(57)【特許請求の範囲】
【請求項１】
振動板を備えて音響再生を行うヘッドフォン装置に設けられたマイクロフォンによる収音音声信号に対してノイズキャンセリングのための信号特性を与える第１フィルタ処理をデジタルフィルタによりフィルタ特性を切り換え可能に行う信号処理手段と、
上記ヘッドフォン装置に設けられ上記ヘッドフォン装置の機種の別ごとに固有となるようにして割り振られたＩＤ情報を記憶するヘッドフォン側記憶手段から、上記ＩＤ情報を読み取る情報読取手段と、
上記ＩＤ情報と、該ＩＤ情報により特定されるヘッドフォン装置に対応して上記信号処理手段に設定されるべきとして予め定められた上記フィルタ特性との対応関係を表す対応関係情報を記憶する処理装置側記憶手段と、
上記対応関係情報に基づき、上記情報読取手段が読み取った上記ＩＤ情報に対応する上記フィルタ特性が上記信号処理手段に設定されるように制御を行う制御手段と
を備える信号処理装置。
【請求項２】
請求項１に記載の信号処理装置において、
上記ＩＤ情報は、上記ヘッドフォン装置の機種の別と共に、上記ヘッドフォン装置が備える音響部品の特性の別を含めて上記ヘッドフォン装置の種別を区分したときに該区分ごとに固有となるようにして割り振られた情報とされ、
上記対応関係情報は、上記機種の別と共に上記音響部品の特性の別とを表す上記ＩＤ情報と該ＩＤ情報により特定されるヘッドフォン装置に対応して上記信号処理手段に設定されるべきとして予め定められた上記フィルタ特性を含む信号処理特性との対応関係を表す情報とされる。
【請求項３】
請求項２に記載の信号処理装置において、
上記信号処理手段は、
上記第１フィルタ処理が行われた上記収音音声信号と合成されて上記ヘッドフォン装置に供給される音声信号に対してイコライジングを行うための第２フィルタ処理を行うように構成されている。
【請求項４】
請求項３に記載の信号処理装置において、
上記ＩＤ情報は、上記ヘッドフォン装置の機種の別と共に、上記マイクロフォンの感度の別も含めて上記ヘッドフォン装置の種別を区分したときに該区分ごとに固有となるようにして割り振られた情報とされ、
上記対応関係情報は、上記機種の別と共に上記マイクロフォンの感度の別を表す上記ＩＤ情報と該ＩＤ情報により特定されるヘッドフォン装置に対応して上記信号処理手段に設定されるべきとして予め定められた上記フィルタ特性を含む信号処理特性との対応関係を表す情報とされる。
【請求項５】
請求項１に記載の信号処理装置において、
上記情報読取手段は、
上記ヘッドフォン側記憶手段から上記ＩＤ情報を有線通信により読み取る。
【請求項６】
請求項１に記載の信号処理装置において、
上記情報読取手段は、
上記ヘッドフォン側記憶手段から上記ＩＤ情報を無線通信により読み取る。
【請求項７】
請求項１に記載の信号処理装置において、
上記第１フィルタ処理が行われた上記収音音声信号が合成された音声信号を上記ヘッドフォン装置に対して有線通信により供給する音声供給手段をさらに備える。
【請求項８】
請求項１に記載の信号処理装置において、
上記第１フィルタ処理が行われた上記収音音声信号が合成された音声信号を上記ヘッドフォン装置に対して無線通信により供給する音声供給手段をさらに備える。
【請求項９】
振動板を備えて音響再生を行うヘッドフォン装置に設けられ上記ヘッドフォン装置の機種の別ごとに固有となるようにして割り振られたＩＤ情報を記憶するヘッドフォン側記憶手段から、上記ＩＤ情報を読み取る情報読取ステップと、
上記ヘッドフォン装置に設けられたマイクロフォンによる収音音声信号に対してノイズキャンセリングのための信号特性を与える第１フィルタ処理をデジタルフィルタによりフィルタ特性を切り換え可能に行う信号処理手段の上記フィルタ特性に関する対応関係情報であって、上記ＩＤ情報と、該ＩＤ情報により特定されるヘッドフォン装置に対応して上記信号処理手段に設定されるべきとして予め定められたフィルタ特性との対応関係を表す対応関係情報に基づき、上記情報読取ステップにより読み取った上記ＩＤ情報に対応する上記フィルタ特性が上記信号処理手段に設定されるように制御を行う制御ステップと
を備える信号処理方法。
【発明の詳細な説明】
【技術分野】
【０００１】
本発明は、ヘッドフォン装置に供給される音声信号に対する信号処理を行う信号処理装置と、信号処理方法とに関する。
【背景技術】
【０００２】
【特許文献１】特開平３−２１４８９２号公報
【特許文献２】特開平３−９６１９９号公報
【０００３】
ヘッドフォン装置により楽曲などのコンテンツの音声を再生しているときに聴こえてくる外部のノイズをアクティブにキャンセルするようにされた、ヘッドフォン装置対応のいわゆるノイズキャンセリングシステムが知られ、また、実用化されている。このようなノイズキャンセリングシステムとしては、大別してフィードバック方式とフィードフォワード方式との２つの方式が知られている。
【０００４】
例えば、上記特許文献１には、ユーザの耳に装着される音響管内においてイヤホン（ヘッドフォン）ユニットの近傍に設けたマイクロフォンユニットにより収音した音響管内部の騒音（ノイズ）を位相反転させた音声信号を生成し、これをイヤホンユニットから音として出力させることにより、外部ノイズを低減させるようにした構成、つまり、フィードバック方式に対応したノイズキャンセリングシステムの構成が記載されている。
また、上記特許文献２には、その基本構成として、ヘッドフォン装置外筐に取り付けたマイクロフォンにより収音して得た音声信号について所定の伝達関数による特性を与えてヘッドフォン装置から出力させるようにした構成、つまりフィードフォワード方式に対応したノイズキャンセリングシステムの構成が記載されている。
【０００５】
これらフィードフォワード方式、フィードバック方式の何れを採用する場合にも、ノイズキャンセリングのために設定されるフィルタ特性は、例えば外部のノイズ源からの音声がユーザの耳位置（ノイズキャンセル点）に到達するまでの空間伝達関数や、マイクアンプ・ヘッドフォンアンプの特性などの各種の伝達関数に基づき、ユーザ耳位置でノイズがキャンセルされるようにして設定されるものとなる。
このとき、上記空間伝達関数としては、ヘッドフォン装置の音響管（ハウジング部）の構造などにより大きく左右されるものとなることから、ノイズキャンセリングのためのフィルタ特性は、同一構造を有する１種類のヘッドフォン装置を想定して設定するものとなる。換言すれば、ノイズキャンセリングシステムにおいて、フィルタ特性は、ヘッドフォン装置に対して１対１の関係で設定されるべきものとなっている。
【０００６】
現状において、ノイズキャンセリングのためのフィルタはアナログ回路により構成されている。このため、現状のノイズキャンセリングシステムにおいては、フィルタ（信号処理装置）とヘッドフォン装置とは予め想定される１対１の組み合わせでしか使用することができず、例えばノイズキャンセリング機能を有さない音響再生システムで行われているように、ヘッドフォン装置を任意のものに変更するといったことができないものとされている。
確認のために述べておくと、フィルタをアナログ回路で構成する場合には、フィルタ特性の変更にあたりそれぞれ別々のフィルタ特性を有するフィルタ回路を複数設けておき、それらをスイッチングしてフィルタ特性の変更を行うことになる。しかしながら、そのような構成は回路実装面積の点などから非現実的であり、結果として現状においては、信号処理装置とヘッドフォン装置は想定される１対１の組み合わせでしか使用できないものとなっている。
【発明の開示】
【発明が解決しようとする課題】
【０００７】
上記のような現状に対し、ノイズキャンセリングシステムにおいても、ヘッドフォンを他の構造を有する別機種に変更したいという要望が強くある。例えば、インナータイプのヘッドフォン装置から耳覆いタイプのヘッドフォン装置に変更するなどといったことが挙げられる。或いは、ＦＦ方式対応ヘッドフォンとＦＢ方式対応ヘッドフォンとの間で変更を行うといったことも想定され得る。
【０００８】
フィルタ特性を可変的に設定するための構成として、先に本出願人は、ノイズキャンセリングフィルタをデジタル回路で実現する構成を提案している。すなわち、ノイズキャンセリングフィルタを例えばＦＩＲ（Finite Impulse Response）フィルタなどのデジタルフィルタで実現するものである。このようなデジタルフィルタを用いたノイズキャンセリングシステムとすることで、フィルタ特性の変更はフィルタ構成やフィルタ係数の変更を行うことで実現することができ、アナログ回路で構成する場合よりも簡易な構成とすることができる。
【０００９】
ここで、使用するヘッドフォンに応じてフィルタ特性を可変的に設定するとしたときには、当然のことながら実際に使用されるヘッドフォンの機種（種類）が何れに該当するかを識別する必要がある。
このような識別にあたっては、例えば使用するヘッドフォンの別の情報をユーザ操作に基づき取得することが考えられる。しかしながら、ユーザの入力情報に基づく識別を行う場合には、必然的にユーザに操作負担を強いるものとなり、利便性に欠けるシステムとなってしまう。
また、このようにユーザの操作入力に基づく識別を行う場合には、ユーザの勘違い等で実際に使用されるヘッドフォンとは別のヘッドフォンが選択されてしまう可能性もあり、その場合、適正なノイズキャンセリング効果を得ることができなくなってしまうといった問題が生じる。
【００１０】
また、ノイズキャンセリングを行わない、いわば通常の音響再生システムであっても、使用するヘッドフォンを変更するとした場合は、そのヘッドフォンの構造等に応じた信号処理特性を設定する必要性はある。例えば、使用するヘッドフォンの機種が異なれば、ドライバ（振動板ユニット）の周波数特性や感度が異なるものとなるので、このような周波数特性の差、感度差を補償するようにしてイコライジング処理、ゲイン調整を行うといったことが考えられる。
【００１１】
しかしながら、この場合も使用するヘッドフォンの別をユーザの入力情報に基づき識別するとした場合には、同様にユーザの操作負担を強いるものとなり利便性に欠けるシステムとなってしまう。また、この場合としてもユーザの勘違い等で実際に使用されるヘッドフォンとは別のヘッドフォンが選択されてしまう可能性もあり、使用するヘッドフォンに応じた適正な特性補正を行うことができなくなってしまう虞がある。
【００１２】
また、これまでは、使用するヘッドフォンの機種の別を問題としたが、同一機種のヘッドフォンであっても、その個体ごとに信号処理特性を変更する必要性があることも考えられる。
ここで、ヘッドフォンやマイクロフォンなどのいわゆるトランスデューサを構成する音響部品は、そのメカ機構自体が機能・性能に直接関わるものであり、電気部品と比較した場合には、そのばらつきによる影響が大きなものとなる。従って、ヘッドフォンの個体ごとに音響部品のばらつきが生じる場合には、同一機種のヘッドフォンであっても、聴感上の差が相応に生じてしまうものとなる。
【００１３】
また、このような音響部品のばらつきに伴う聴感上の変化としては、左右のチャンネル間の変化も挙げることができる。左右チャンネル間で聴感上の変化が生じた場合には、音像の定位感が悪化するなどの問題が生じてしまう。
【００１４】
このような問題から、現状においては、左右両チャンネルのペアリングも含めて、ヘッドフォンの個体ごとに音響特性の測定を行い、その測定結果に基づく選別を行うものとしている。すなわち、この選別によって基準を満たすとされた製品のみを出荷するというものである。
【００１５】
しかしながら、このような選別による手法を採る場合において、選別から外れたものは廃棄処分することになる。この点で現状の手法は、装置製造コストが嵩んでしまうことが問題となる。
【課題を解決するための手段】
【００１６】
そこで、本発明では上記した問題点を考慮して、信号処理装置として以下のように構成することとした。
つまり、振動板を備えて音響再生を行うヘッドフォン装置に設けられたマイクロフォンによる収音音声信号に対してノイズキャンセリングのための信号特性を与える第１フィルタ処理をデジタルフィルタによりフィルタ特性を切り換え可能に行う信号処理手段を備える。
また、上記ヘッドフォン装置に設けられ上記ヘッドフォン装置の機種の別ごとに固有となるようにして割り振られたＩＤ情報を記憶するヘッドフォン側記憶手段から、上記ＩＤ情報を読み取る情報読取手段を備える。
また、上記ＩＤ情報と、該ＩＤ情報により特定されるヘッドフォン装置に対応して上記信号処理手段に設定されるべきとして予め定められた上記フィルタ特性との対応関係を表す対応関係情報を記憶する処理装置側記憶手段を備える。
また、上記対応関係情報に基づき、上記情報読取手段が読み取った上記ＩＤ情報に対応する上記フィルタ特性が上記信号処理手段に設定されるように制御を行う制御手段を備えるものである。
【００１７】
上記本発明によれば、上記ヘッドフォン装置に記憶されたヘッドフォン側記憶情報を、信号処理装置側が自動的に取得することができる。すなわち、ユーザ操作によらず、上記ヘッドフォン側記憶情報としての、所定の種別ごとに区分されたヘッドフォン装置ごとに異なる内容となるようにされた情報を取得することができる。
そして、上記本発明によれば、このように取得したヘッドフォン側記憶情報に基づき、信号処理手段の信号処理特性が設定（変更）されるものとなる。これにより、使用するヘッドフォン装置の別に応じた適切な信号処理特性を装置側で自動的に設定することができる。
ここで、ヘッドフォン装置の種別としては、例えばヘッドフォン装置の機種の別や、具備される音響部品の特性の別などを挙げることができる。従って、上記本発明によれば、ヘッドフォン装置の機種の別に応じた信号処理特性の設定や、例えば同一機種についてもその音響部品の特性の別に応じた信号処理特性の設定を行うことができる。
【発明の効果】
【００１８】
本発明によれば、ヘッドフォン装置ごとの記憶情報をユーザ操作によらず装置側で自動的に取得することができる。そして、このように取得したヘッドフォン側記憶情報に基づき信号処理手段の信号処理特性が設定されるようにしていることで、該信号処理手段の信号処理特性を、使用するヘッドフォン装置に対応する特性に設定（変更）することができる。
つまり、上記本発明によれば、使用するヘッドフォン装置の別に応じた適切な信号処理特性を信号処理装置側で自動的に設定することができ、これによってユーザに操作負担を負わせることのない優れたシステムの実現が図られる。また、これと共に、ユーザの操作入力ミスなどにより誤った信号処理特性が設定されてしまい、適正な音響再生を行うことができなくなってしまうといった事態の発生も効果的に防止することができる。
【００１９】
また、上記本発明によれば、ヘッドフォン装置を構成する音響部品の特性ばらつきは補償することができるので、従来のように選別から外れた製品を廃棄する必要はないものとできる。この点で本発明によれば、ヘッドフォン装置の製造コストの削減を図ることができる。
【発明を実施するための最良の形態】
【００２０】
以下、本発明を実施するための最良の形態（以下、実施の形態という）について説明していく。
実施の形態では、信号処理装置とヘッドフォン装置とを備えて構成される音響再生システムとして、ノイズキャンセリング機能を有するシステムを例に挙げる。そこで、以下では先ず、本実施の形態としてのシステムの構成を説明するのに先立ち、ノイズキャンセリングシステムの基本概念について説明を行っておく。
【００２１】
＜ノイズキャンセリングシステムの基本概念＞
ノイズキャンセリングシステムの基本的な方式としては、フィードバック（FeedBack：ＦＢ）方式によりサーボ制御を行うようにされたものとフィードフォワード（FeedForward：ＦＦ）方式がそれぞれ知られている。先ず、図１により、ＦＢ方式について説明する。
【００２２】
図１（ａ）には、ヘッドフォン装着者（ユーザ）の右耳（Ｌ（左），Ｒ（右）による２チャンネルステレオにおけるＲチャンネル）側における、ＦＢ方式によるノイズキャンセリングシステムのモデル例を模式的に示している。
ここでのヘッドフォン装置のＲチャンネル側の構造としては、先ず、右耳に対応するハウジング部２０１内において、ヘッドフォン装置を装着したユーザ５００の右耳に対応する位置にドライバ２０２を設けるようにされる。ドライバ２０２は振動板を備えたいわゆるスピーカと同義のものであり、音声信号の増幅出力により駆動（ドライブ）されることで音声を空間に放出するようにして出力するものである。
【００２３】
そのうえで、ＦＢ方式としては、ハウジング部２０１内においてユーザ５００の右耳に近いとされる位置に対してマイクロフォン２０３を設けるようにされる。このようにして設けられるマイクロフォン２０３によっては、ドライバ２０２から出力される音声と、外部のノイズ音源３０１からハウジング部２０１内に侵入して右耳に到達しようとする音声、つまり右耳にて聴き取られる外部音声であるハウジング内ノイズ３０２とが収音されることになる。なお、ハウジング内ノイズ３０２が発生する原因としては、ノイズ音源３０１が例えばハウジング部のイヤーパッドなどの隙間から音圧として漏れてきたり、ヘッドフォン装置の筐体がノイズ音源３０１の音圧を受けて振動し、これがハウジング部内に伝達されてくることなどを挙げることができる。
そして、マイクロフォン２０３によって収音して得られた音声信号から、例えば外部音声の音声信号成分に対して逆特性となる信号など、ハウジング内ノイズ３０２がキャンセル（減衰、低減）されるようにするための信号（キャンセル用オーディオ信号）を生成し、この信号について、ドライバ２０２を駆動する必要音の音声信号（オーディオ音源）に合成させるようにして帰還させる。これによりハウジング部２０１内における右耳に対応するとされる位置に設定されたノイズキャンセル点４００においては、ドライバ２０１からの出力音声と外部音声の成分とが合成されることによって外部音声がキャンセルされた音が得られ、ユーザの右耳では、この音を聴き取ることになる。そして、このような構成を、Ｌチャンネル（左耳）側においても与えることで、通常のＬ，Ｒ２チャンネルステレオに対応するヘッドフォン装置としてのノイズキャンセリングシステムが得られることになる。
【００２４】
図１（ｂ）のブロック図は、ＦＢ方式によるノイズキャンセリングシステムの基本的なモデル構成例を示している。なお、この図１（ｂ）にあっては、図１（ａ）と同様にして、Ｒチャンネル（右耳）側のみに対応した構成が示されているものであり、また、Ｌチャンネル（左耳）側に対応しても同様のシステム構成が備えられるものである。また、この図において示されるブロックは、ＦＢ方式によるノイズキャンセリングシステムの系における特定の回路部位、回路系などに対応する１つの特定の伝達関数を示すもので、ここでは伝達関数ブロックと呼ぶことにする。各伝達関数ブロックにおいて示されている文字が、その伝達関数ブロックの伝達関数を表しているものであり、音声信号(若しくは音声)は、伝達関数ブロックを経由するごとに、そこに示される伝達関数が与えられることになる。
【００２５】
先ず、ハウジング部２０１内に設けられるマイクロフォン２０３により収音される音声は、このマイクロフォン２０３と、マイクロフォン２０３にて得られた電気信号を増幅して音声信号を出力するマイクロフォンアンプに対応する伝達関数ブロック１０１（伝達関数Ｍ）を介した音声信号として得られることになる。この伝達関数ブロック１０１を経由した音声信号は、ＦＢ(FeedBack)フィルタ回路に対応する伝達関数ブロック１０２(伝達関数−β)を介して合成器１０３に入力される。ＦＢフィルタ回路は、マイクロフォン２０３により収音して得られた音声信号から、上述のキャンセル用オーディオ信号を生成するための特性が設定されたフィルタ回路であり、その伝達関数が−βとして表されているものである。
【００２６】
また、楽曲などのコンテンツとされるオーディオ音源の音声信号Ｓは、ここでは、イコライザによるイコライジングが施されるものとしており、このイコライザに対応する伝達関数ブロック１０７（伝達関数Ｅ）を介して合成器１３に入力される。
なお、このように音声信号Ｓにイコライジングを施すのは、ＦＢ方式では、ノイズ収音用のマイクロフォン２０３がハウジング部２０１内に設けられ、ノイズ音のみでなくドライバ２０２からの出力音声も収音されることに由来する。すなわち、このようにマイクロフォン２０３が音声信号Ｓの成分も収音することで、ＦＢ方式では音声信号Ｓに対しても伝達関数−βが与えられるものとなっており、このことで音声信号Ｓの音質劣化を招く虞がある。そこで、予め伝達関数−βによる音質劣化を抑制するために、イコライジングにより音声信号Ｓに所要の信号特性を与えるようにしているものである。
【００２７】
合成器１０３では、上記の２つの信号を加算により合成する。このようにして合成された音声信号は、パワーアンプにより増幅され、ドライバ２０２に駆動信号として出力されることで、ドライバ２０２から音声として出力される。つまり、合成器１０３からの音声信号は、パワーアンプに対応する伝達関数ブロック１０４（伝達関数Ａ）を経由し、さらにドライバ２０２に対応する伝達関数ブロック１０５（伝達関数Ｄ）を経由して音声として空間内に放出される。なお、ドライバ２０２の伝達関数Ｄは、例えばドライバ２０２の構造などにより決まる。
【００２８】
そして、ドライバ２０２にて出力された音声は、ドライバ２０２からノイズキャンセル点４００までの空間経路(空間伝達関数)に対応する伝達関数ブロック１０６（伝達関数Ｈ）を経由するようにしてノイズキャンセル点４００に到達し、その空間にてハウジング内ノイズ３０２と合成されることになる。そして、ノイズキャンセル点４００から例えば右耳に到達するものとされる出力音の音圧Ｐとしては、ハウジング部２０１の外部から侵入してくるノイズ音源３０１の音がキャンセルされるものとなる。
【００２９】
ここで、この図１（ｂ）に示されるノイズキャンセリングシステムのモデルの系にあって、上記出力音の音圧Ｐは、ハウジング内ノイズ３０２をＮ、オーディオ音源の音声信号をＳとしたうえで、各伝達関数ブロックにおいて示される伝達関数「Ｍ、−β、Ｅ、Ａ、Ｄ、Ｈ」を利用して、次の[式１]のようにして表されるものとなる。
【数１】
0005320784.tif 000002
この[式１]において、ハウジング内ノイズ３０２であるＮに着目すると、Ｎは、１ ／（１＋ＡＤＨＭβ）で表される係数により減衰されることがわかる。
【００３０】
ただし、[式１]の系がノイズ低減対象の周波数帯域にて発振することなく、安定して動作するためには、次の[式２]が成立していることが必要となる。
【数２】
0005320784.tif 000003
【００３１】
一般的なこととして、ＦＢ方式によるノイズキャンセリングシステムにおける各伝達関数の積の絶対値が、
１＜＜｜ＡＤＨＭβ｜
で表されることとと、古典制御理論におけるNyquistの安定性判別と合わせると、[式２]については下記のように解釈できる。
ここでは、図１（ｂ）に示されるノイズキャンセリングシステムの系において、ハウジング内ノイズ３０２であるＮに関わるループ部分を一箇所切断して得られる、（−ＡＤＨＭβ）で表される系を考える。この系を、ここでは「オープンループ」ということにする。一例として、マイクロフォン及びマイクロフォンアンプに対応する伝達関数ブロック１０１と、ＦＢフィルタ回路に対応する伝達関数ブロック１０２との間を切断すべき箇所とすれば、上記のオープンループを形成できる。
【００３２】
上記のオープンループは、例えば図２のボード線図により示される特性を持つものとされる。このボード線図においては、横軸に周波数が示され、縦軸においては、下半分にゲインが示され、上半分に位相が示される。
このオープンループを対象とした場合、Nyquistの安定性判別に基づき、[式２]を満足するためには、下記の２つの条件を満たす必要がある。
条件１：位相０ｄｅｇ．（０ 度）の点を通過するとき、ゲインは０ｄＢより小さくなくてはならない。
条件２：ゲインが０ｄＢ以上であるとき、位相０ｄｅｇ．の点を含んではいけない。
【００３３】
上記２つの条件１、２を満たさない場合、ループには正帰還がかかることとなって、発振（ハウリング）を生じさせる。図２においては、上記の条件１に対応する位相余裕Ｐａ、Ｐｂと、条件２に対応するゲイン余裕Ｇａ、Ｇｂが示されている。これらの余裕が小さいと、ノイズキャンセリングシステムを適用したヘッドフォン装置を使用するユーザの各種の個人差やヘッドフォン装置を装着したときの状態のばらつきなどにより、発振の可能性が増加することになる。
例えば図２にあっては、位相０ｄｅｇ．の点を通過するときのゲインとしては０ｄＢより小さくなっており、これに応じてゲイン余裕Ｇａ 、Ｇｂが得られている。しかしながら、例えば仮に位相０ｄｅｇ．の点を通過するときのゲインが０ｄＢ以上となってゲイン余裕Ｇａ 、Ｇｂが無くなる、あるいは位相０ｄｅｇ．の点を通過するときのゲインが０ｄＢ未満であるものの、０ｄＢに近く、ゲイン余裕Ｇａ 、Ｇｂが小さくなるような状態となると、発振を生じる、あるいは発振の可能性が増加することになる。
同様にして、図２にあっては、ゲインが０ｄＢ以上であるときには位相０ｄｅｇ．の点を通過しないようにされており、位相余裕Ｐａ、Ｐｂが得られている。しかしながら、例えばゲインが０ｄＢ以上であるときに位相０ｄｅｇ．の点を通過してしまっている。或いは、位相０ｄｅｇ．に近くなり位相余裕Ｐａ、Ｐｂが小さくなるような状態となると、発振を生じる、あるいは発振の可能性が増加することになる。
【００３４】
次に、図１（ｂ）に示したＦＢ方式のノイズキャンセリングシステムの構成において、上述の外部音声（ノイズ）のキャンセル（低減）機能に加えて、必要な音（必要音）をヘッドフォン装置により再生出力する場合について説明する。
ここでは、必要音として、例えば楽曲などのコンテンツとしてのオーディオ音源の音声信号Ｓが示されている。
なお、この音声信号Ｓとしては、音楽的、又はこれに準ずる内容のもののほかにも考えられる。例えば、ノイズキャンセリングシステムを補聴器などに適用することとした場合には、周囲の必要音を収音するために筐体外部に設けられるマイクロフォン（ノイズキャンセルの系に備えられるマイクロフォン２０３とは異なる）により収音して得られた音声信号となる。また、いわゆるヘッドセットといわれるものに適用する場合には、電話通信などの通信により受信した相手方の話し声などの音声信号となる。つまり、音声信号Ｓとは、ヘッドフォン装置の用途などに応じて再生出力すべきことが必要となる音声一般に対応したものである。
【００３５】
先ず、先の[式１]において、オーディオ音源の音声信号Ｓに着目する。そして、イコライザに対応する伝達関数Ｅとして、次の[式３]により表される特性を有するものとして設定したこととする。
【数３】
0005320784.tif 000004
なお、この伝達特性Ｅは、周波数軸でみた場合に、上記オープンループに対してほぼ逆特性（１＋オープンループ特性）となっている。そして、この[式３]により示される伝達関数Ｅの式を、[式１]に代入すると、図１（ｂ）に示されるノイズキャンセリングシステムのモデルにおける出力音の音圧Ｐについては、次の[式４]のようにして表すことができる。
【数４】
0005320784.tif 000005
[式４]におけるＡＤＨＳの項において示される伝達関数Ａ、Ｄ、Ｈのうち、伝達関数Ａはパワーアンプに対応し、伝達関数Ｄはドライバ２０２に対応し、伝達関数Ｈはドライバ２０２からノイズキャンセル点４００までの経路の空間伝達関数に対応するので、ハウジング部２０１内のマイクロフォン２０３の位置が耳に対して近接した位置にあるとすれば、音声信号Ｓについては、ノイズキャンセル機能を有さないようにした通常のヘッドフォンと同等の特性が得られることがわかる。
【００３６】
次に、ＦＦ方式によるノイズキャンセリングシステムについて説明する。
図３（ａ）は、ＦＦ方式によるノイズキャンセリングシステムのモデル例として、先の図１（ａ）と同様にＲチャンネルに対応する側の構成を示している。
ＦＦ方式では、ハウジング部２０１の外側に対して、ノイズ音源３０１から到達してくるとされる音声が収音できるようにしてマイクロフォン２０３を設けるようにされる。そして、このマイクロフォン２０３により収音した外部音声、つまりノイズ音源３０１から到達してきたとされる音声を収音して音声信号を得て、この音声信号について適切なフィルタリング処理を施して、キャンセル用オーディオ信号を生成するようにされる。そして、このキャンセル用オーディオ信号を、必要音の音声信号と合成する。つまり、マイクロフォン２０３の位置からドライバ２０２の位置までの音響特性を電気的に模擬したキャンセル用オーディオ信号を必要音の音声信号に対して合成するものである。
そして、このようにしてキャンセル用オーディオ信号と必要音の音声信号とが合成された音声信号をドライバ２０２から出力させることで、ノイズキャンセル点４００において得られる音としては、ノイズ音源３０１からハウジング部２０１内に侵入してきた音がキャンセルされたものが聴こえるようになる。
【００３７】
図３（ｂ）は、ＦＦ方式によるノイズキャンセリングシステムの基本的なモデル構成例として、一方のチャンネル（Ｒチャンネル）に対応した側の構成を示している。
先ず、ハウジング部２０１の外側に設けられるマイクロフォン２０３により収音される音は、マイクロフォン２０３及びマイクロフォンアンプに対応する伝達関数Ｍを有する伝達関数ブロック１０１を介した音声信号として得られる。
次に、上記伝達関数ブロック１０１を経由した音声信号は、ＦＦ(FeedForward)フィルタ回路に対応する伝達関数ブロック１０２(伝達関数−α)を介して合成器１０３に入力される。ＦＦフィルタ回路１０２は、マイクロフォン２０３により収音して得られた音声信号から、上記したキャンセル用オーディオ信号を生成するための特性が設定されたフィルタ回路であり、その伝達関数が−αとして表されているものである。
【００３８】
また、ここでのオーディオ音源の音声信号Ｓは、直接、合成器１０３に入力するものとしている。
合成器１０３により合成された音声信号は、パワーアンプにより増幅され、ドライバ２０２に駆動信号として出力されることで、ドライバ２０２から音声として出力されることになる。つまり、この場合にも、合成器１０３からの音声信号は、パワーアンプに対応する伝達関数ブロック１０４（伝達関数Ａ）を経由し、さらにドライバ２０２に対応する伝達関数ブロック１０５（伝達関数Ｄ）を経由して音声として空間内に放出される。
そして、ドライバ２０２にて出力された音声は、ドライバ２０２からノイズキャンセル点４００までの空間経路(空間伝達関数)に対応する伝達関数ブロック１０６（伝達関数Ｈ）を経由してノイズキャンセル点４００に到達し、ここでハウジング内ノイズ３０２と空間で合成されることになる。
【００３９】
また、ノイズ音源３０１から発せられた音がハウジング部２０１内に侵入してノイズキャンセル点４００に到達するまでには、伝達関数ブロック１１０として示すように、ノイズ音源３０１からノイズキャンセル点４００までの経路に対応する伝達関数（空間伝達関数Ｆ）が与えられる。その一方で、マイクロフォン２０３では、外部音声であるノイズ音源３０１から到達してくるとされる音声を収音することになるが、このとき、ノイズ音源３０１から発せられた音（ノイズ）がマイクロフォン２０３に到達するまでには、伝達関数ブロック１１１として示すように、ノイズ音源３０１からマイクロフォン２０３までの経路に対応する伝達関数（空間伝達関数Ｇ）が与えられることになる。伝達関数ブロック１０２に対応するＦＦフィルタ回路としては、上記の空間伝達関数Ｆ，Ｇも考慮した上での伝達関数−αが設定されるものである。
これにより、ノイズキャンセル点４００から例えば右耳に到達するものとされる出力音の音圧Ｐとしては、ハウジング部２０１の外部から侵入してくるノイズ音源３０１の音がキャンセルされるものとなる。
【００４０】
図３（ｂ）に示したＦＦ方式によるノイズキャンセリングシステムのモデルの系にあって、上記出力音の音圧Ｐは、ノイズ音源３０１において発せられるノイズをＮ、オーディオ音源の音声信号をＳとしたうえで、各伝達関数ブロックにおいて示される伝達関数「Ｍ、−α、Ｅ、Ａ、Ｄ、Ｈ」を利用して、次の[式５]で表されるものとなる。
【数５】
0005320784.tif 000006
また、理想的には、ノイズ音源３０１からキャンセルポイント４００までの経路の伝達関数Ｆは、次の[式６]のようにして表すことができる。
【数６】
0005320784.tif 000007
次に、[式６]を[式５]に代入すると、右辺の第１項と第２項とが相殺されることとなる。この結果から、出力音の音圧Ｐは、以下の[式７]のようにして表すことができる。
【数７】
0005320784.tif 000008
【００４１】
このようにして、ノイズ音源３０１から到達してくるとされる音はキャンセルされ、オーディオ音源の音声信号だけが音声として得られることが示される。つまり、理論上、ユーザの右耳においては、ノイズがキャンセルされた音声が聴こえることになる。ただし、現実には、[式６]が完全に成立するような伝達関数を与えることのできる、完全なＦＦフィルタ回路を構成することは非常に困難である。また、人による耳の形状であるとか、ヘッドフォン装置の装着の仕方についての個人差が比較的大きく、ノイズの発生位置とマイク位置との関係の変化などは、特に中高域の周波数帯域についてのノイズ低減効果に影響を与えることが知られている。このために、中高域に関しては、アクティブなノイズ低減処理を控え、主として、ヘッドフォン装置の筐体の構造などに依存したパッシブな遮音をすることがしばしば行われる。
また、確認のために述べておくと、[式６]は、ノイズ音源３０１から耳までの経路の伝達関数を、伝達関数−αを含めた電気回路にて模倣することを意味している。
【００４２】
また、図３（ａ）に示したＦＦ方式のノイズキャンセリングシステムでは、マイクロフォン２０３をハウジングの外側に設けることから、キャンセルポイント４００については、図１（ａ）のＦＢ方式のノイズキャンセリングシステムと異なり、聴取者の耳位置に対応させるようにしてハウジング部２０１にて任意に設定できる。しかし通常、伝達関数−αは固定的であり、設計段階においては、何らかのターゲット特性を対象とした決めうちになる。その一方で、聴取者によって耳の形状などは異なる。このために、十分なノイズキャンセル効果が得られなかったり、ノイズ成分を非逆相で加算してしまって異音を生じさせたりするなどの現象が発生する可能性もある。
このようなことから、一般的にＦＦ方式は、発振する可能性が低く安定度は高いが、十分なノイズ減衰量（キャンセル量）を得るのは困難であるとされている。一方、ＦＢ方式は大きなノイズ減衰量が期待できる代わりに、系の安定性に注意が必要であるとされている。このように、ＦＢ方式とＦＦ方式とでは、それぞれに特徴を有するものである。
【００４３】
＜第１の実施の形態＞
[音響再生システムの構成（信号処理装置及びヘッドフォン装置の構成]
図４は、本発明の信号処理装置の一実施形態としてのオーディオプレイヤ１と、ヘッドフォン２０とを備えて構成される第１の実施の形態としての音響再生システムの構成について説明するための図である。なお、この図４のブロック図では、オーディオプレイヤ１の内部構成とヘッドフォン２０の内部構成をそれぞれ示している。
【００４４】
図４において、オーディオプレイヤ１は、図中のヘッドフォン２０として、種々のタイプのヘッドフォン装置に対応可能に構成されている。ここで、本例のオーディオプレイヤ１が対応するヘッドフォン２０のタイプについて、次の図５に示しておく。
【００４５】
この図５に示されるように、本例のオーディオプレイヤ１は、（１）インナーイヤータイプで且つＦＦ方式対応のタイプ（マイク外側）のヘッドフォン装置、（２）耳覆いタイプで且つＦＢ方式対応のタイプ（マイク内側）のヘッドフォン装置、（３）耳載せタイプで且つＦＦ方式対応のタイプのヘッドフォン装置、（４）ネックバンドタイプで且つＦＢ方式対応のタイプのヘッドフォン装置に対応可能とされている。
この場合、オーディオプレイヤ１が対応可能なヘッドフォン装置に対しては、そのヘッドフォン装置のタイプ（種別）を識別するためのＩＤが予め定められており、図のように（１）のタイプのヘッドフォン装置にはＩＤ：０が、（２）のタイプのヘッドフォン装置にはＩＤ：１が、（３）のタイプのヘッドフォン装置にはＩＤ：２が、（４）のタイプのヘッドフォン装置にはＩＤ：３がそれぞれ割り振られている。
【００４６】
説明を図４に戻す。
先ず、ヘッドフォン２０側の内部構成から説明していく。
ヘッドフォン２０には、振動板による音声出力（音響再生）を行うドライバDRVが設けられる。また、この場合のヘッドフォン２０には、ノイズキャンセリングシステムに対応する構成として、マイクロフォンMICが設けられている。
上記マイクロフォンMICによる収音信号は、マイク出力端子ＴMoutに供給される。図示するようにオーディオプレイヤ１側には、上記マイク出力端子ＴMoutに対応する端子としてマイク入力端子ＴMoutが設けられており、ヘッドフォン２０がオーディオプレイヤ１に接続されたとき、上記マイク出力端子ＴMoutと上記マイク入力端子ＴMinとが接することで、上記マイク出力端子ＴMoutに供給された収音信号が上記マイク入力端子ＴMoutを介し、オーディオプレイヤ１に設けられたマイクアンプ２に供給されるようになっている。
また、上記ドライバDRVには、ヘッドフォン２０がオーディオプレイヤ１に接続されたときに、オーディオプレイヤ１側が備える後述するパワーアンプ８からのオーディオ信号（駆動信号）が、オーディオプレイヤ１側に設けられたオーディオ出力端子ＴAout→ヘッドフォン２０側に設けられたオーディオ入力端子ＴAinを介して供給される。
【００４７】
ここで、ヘッドフォン２０が備える上記マイクロフォンMICの設置位置については、図６に示されるようにして、ヘッドフォン２０がＦＦ方式に対応するヘッドフォン装置とされるか、ＦＢ方式に対応するヘッドフォン装置とされるかによって異なる。
図６（ａ）は、ＦＦ方式対応のヘッドフォン装置とされる場合、図６（ｂ）はＦＢ方式対応のヘッドフォン装置とされる場合のヘッドフォン２０の構造について模式的に示している。
これらの図に示されるように、ヘッドフォン２０としては、Ｌｃｈハウジング部２０Ｌ、Ｒｃｈハウジング部２０Ｒとを有する。そしてＦＦ方式、ＦＢ方式の場合も共に、ＬｃｈのドライバDRV-LはＬｃｈハウジング部２０Ｌ内に設けられ、またＲｃｈのドライバDRV-RはＲｃｈハウジング部２０Ｒ内に設けられる。
【００４８】
そして、図６（ａ）のＦＦ方式の場合、ＬｃｈのマイクロフォンMIC-Lは、Ｌｃｈハウジング部２０Ｌにおいて外向きに設けられる。すなわち、ハウジング部２０Ｌの外界で生じる音を収音するようにして設けられる。同様にＲｃｈのマイクロフォンMIC-RとしてもＲｃｈハウジング部２０Ｒにおいて外向きに設けられる。
【００４９】
一方、図６（ｂ）のＦＢ方式の場合、ＬｃｈのマイクロフォンMIC-LはＬｃｈハウジング部２０Ｌにおいて内向きに設けられる。つまりハウジング部２０Ｌ内における音、具体的には聴取者の左耳で聴取される音を収音するようにして設けられる。同様にしてＲｃｈのマイクロフォンMIC-RとしてもＲｃｈハウジング部２０Ｒにて内向きに設けられる。
【００５０】
ここで、図４においては図示の都合上、オーディオ信号のｃｈ（チャンネル）数を１ｃｈとしているが、図６の説明からも理解されるように、実際においてヘッドフォン２０は、ＬｃｈとＲｃｈの２ｃｈの音声出力を行うように構成されている。またこれに応じ、オーディオプレイヤ１としても、ＬｃｈとＲｃｈの２ｃｈのオーディオ信号について扱うことになる。
従って実際において、ヘッドフォン２０における先に説明したマイクロフォンMIC、ドライバDRV、マイク出力端子ＴMout、オーディオ入力端子ＴAinとしては、Ｌｃｈ用、Ｒｃｈ用のそれぞれ２つが設けられるものとなる。同様にして、オーディオプレイヤ１側における先に述べたマイク入力端子ＴMin、マイクアンプ２、及びパワーアンプ８、オーディオ出力端子ＴAoutとしてもＬｃｈ用、Ｒｃｈ用のそれぞれ２つが設けられるものとなる。  また同様にして、以降において説明するＡ／Ｄ変換器３、Ｄ／Ａ変換器７、及びＤＳＰ６における各部（ＮＣフィルタ６ａ、イコライザ（ＥＱ）６ｂ、加算部６ｃ）としてもＬｃｈ用、Ｒｃｈ用のそれぞれ２つが設けられることになる。
【００５１】
図４に戻る。
ヘッドフォン２０には、上記により説明した構成に加えて、不揮発性メモリ２１が備えられる。この不揮発性メモリ２１は、例えばフラッシュメモリなどの不揮発性の半導体メモリ素子とされる。
不揮発性メモリ２１に対しては、ヘッドフォン２０がオーディオプレイヤ１に接続されたとき、オーディオプレイヤ１側から電力供給が行われる。具体的に、不揮発性メモリ２１に対しては、オーディオプレイヤ１側の電力供給端子Ｔｓ-Eとヘッドフォン２０側の電力入力端子Ｔｈ-Eとが接し、且つオーディオプレイヤ１側のグランド端子Ｔｓ-GNDとヘッドフォン２０側のグランド端子Ｔｈ-GNDとが接することで、オーディオプレイヤ１側に設けられる電源部１５からの電力供給が行われるようになっている。
また、不揮発性メモリ２１に記憶された情報は、後述するシステムコントローラ９により読出可能となるようにされている。具体的に、ヘッドフォン２０には不揮発性メモリ２１からの読み出しデータが供給されるデータ通信端子Ｔｈ-Dが設けられ、またオーディオプレイヤ１側には上記システムコントローラ９と接続されたデータ通信端子Ｔｓ-Dが設けられる。つまり、ヘッドフォン２０がオーディオプレイヤ１と接続されてこれらデータ通信端子Ｔｈ-Dとデータ通信端子Ｔｓ-Dとが接することで、不揮発性メモリ２１に記憶されたデータについてのシステムコントローラ９による読み出し（読み取り）が可能な状態となる。
【００５２】
ここで、図７に、ヘッドフォン２０側に形成されるプラグ部２０Ａと、オーディオプレイヤ１側に形成されるジャック部１Ａの構造を例示しておく。
図７において、先ずヘッドフォン２０側のプラグ部２０Ａには、先に説明したオーディオ入力端子ＴAinとして、Ｌｃｈ用の端子ＴAin-LとＲｃｈ用の端子ＴAin-Rが形成されていると共に、同じく先に説明したマイク出力端子ＴMoutとして、Ｌｃｈ用の端子ＴMout-LとＲｃｈ用の端子ＴMout-Rとが形成されている。またこの図では、上記Ｌｃｈ、Ｒｃｈのそれぞれのオーディオ入力端子ＴAinとマイク出力端子ＴMoutに共通となるグランド端子Ｔ-GND（図４における図示は省略した）を形成する場合を例示している。
このとき、上記端子ＴAin-L、端子ＴAin-R、端子ＴMout-L、端子ＴMout-Rは、図のようにそれぞれが同軸上に独立したリング状の形状で配置されるように形成している。これに対し、上記グランド端子Ｔ-GNDは、これら各端子ＴM及びＴAと同軸上には配置せずに、これら同軸上の各端子ＴM及びＴAが配置される部分から突出するようにして設けられている。
【００５３】
一方、オーディオプレイヤ１側のジャック部１Ａには、上記グランド端子Ｔ-GND（突起部）を勘合して位置決めするための位置決め部Ｘが形成されている。つまり、この位置決め部Ｘが形成されていることで、ジャック部１Ａとプラグ部２０Ａは所定の位置関係で接続されるようになっている。
なお、ここでは図示の都合上、ジャック部１Ａ側におけるＬｃｈ用、Ｒｃｈ用のそれぞれオーディオ出力端子ＴAout、及びＬｃｈ用、Ｒｃｈ用のそれぞれのマイク入力端子ＴMin、及び上記グランド端子Ｔ-GNDと接するグランド端子の図示は省略しているが、これらの端子Ｔは、プラグ部２０Ａが接続された際、プラグ部２０Ａ側に設けられた対応する端子Ｔと１対１で接するようにしてジャック部１Ａ内に形成されているものとする。
【００５４】
その上で、ヘッドフォン２０側のプラグ部２０Ａには、先に説明した電力入力端子Ｔｈ-E、グランド端子Ｔｈ-GND、及びデータ通信端子Ｔｈ-Dが形成されている。また、オーディオプレイヤ１側のジャック部１Ａには、電力供給端子Ｔｓ-E、グランド端子Ｔｓ-GND、及びデータ通信端子Ｔｓ-Dが形成されている。
これらの各端子Ｔは、上記位置決め部Ｘにより位置決めされるようにしてジャック部１Ａにプラグ部２０Ａが接続されたときに、[Ｔｈ-E・Ｔｓ-E][Ｔｈ-GND・Ｔｓ-GND][Ｔｈ-D・Ｔｓ-D]の対応関係で各端子Ｔが一対一で接するようにして設けられている。
【００５５】
この図７にて説明したようなプラグ部２０Ａとジャック部１Ａの構造により、オーディオプレイヤ１に対しヘッドフォン２０が接続されたときに、上記不揮発性メモリ２１に対する電力供給が行われ、且つ上記不揮発性メモリ２１に記憶される情報のシステムコントローラ９による読み出しが可能な状態となるようにされている。
また、ヘッドフォン２０からオーディオプレイヤ１への収音信号の供給、及びオーディオプレイヤ１からヘッドフォン２０へのオーディオ信号の供給が可能となるようにされている。
【００５６】
また、図４において、上記不揮発性メモリ２１に対しては、図示するようにＩＤ情報２１ａを格納するものとしている。すなわち、先の図５にて説明したような、各ヘッドフォン２０の機種の別ごとに固有となるように割り振られるＩＤ情報を格納するものである。
具体的に、図５に示すＩＤ：０が割り振られるヘッドフォン２０に対しては、その不揮発性メモリ２１に対して上記ＩＤ：０としてのＩＤ情報２１ａが格納されるものとなる。同様に、ＩＤ：１のヘッドフォン２０にはＩＤ：１としてのＩＤ情報２１ａが、またＩＤ：２のヘッドフォン２０にはＩＤ：２としてのＩＤ情報２１ａが、ＩＤ：３のヘッドフォン２０にはＩＤ：３としてのＩＤ情報２１ａがそれぞれ格納されるものとなる。
【００５７】
続いて、オーディオプレイヤ１の内部構成について見ていく。
図４において、オーディオプレイヤ１には、ストレージ部４が備えられる。このストレージ部４は、オーディオデータを始めとした各種データの保存に用いられる。
具体的な構成としては、例えばフラッシュメモリなどの固体メモリに対するデータの書き込み（記録）／読み出しを行うように構成されても良いし、例えばＨＤＤ（Hard Disk Drive）により構成されてもよい。
また内蔵の記録媒体ではなく、可搬性を有する記録媒体、例えば固体メモリを内蔵したメモリカード、ＣＤ（Compact Disc）やＤＶＤ（Digital Versatile Disc）などの光ディスク、光磁気ディスク、ホログラムメモリなどの記録媒体に対応するドライブ装置などとして構成することもできる。
もちろん、固体メモリやＨＤＤ等の内蔵タイプのメモリと、可搬性記録媒体に対するドライブ装置の両方が搭載されてもよい。
このストレージ部４は、システムコントローラ９の制御に基づいてオーディオデータその他の各種データについての書き込み／読み出しを行う。
【００５８】
ここで、上記ストレージ部４においては、オーディオデータが所定の音声圧縮符号化方式により圧縮符号化された状態で記憶されているとする。ストレージ部４で読み出された圧縮オーディオデータは、再生処理部５に供給される。再生処理部５はシステムコントローラ９の制御に基づき、供給される圧縮オーディオデータについての伸張処理などの所定の再生処理（デコード処理）を施す。
再生処理部５で再生処理されたオーディオデータは、ＤＳＰ（Digital Signal Processor）６に供給される。
【００５９】
ＤＳＰ６は、例えば図中のメモリ１０に格納されるプログラム（図示せず）に基づくデジタル信号処理を実行することで、図中に示される各機能ブロックとしての動作を実現する。
具体的に、ＤＳＰ６は、図中のイコライザ（ＥＱ）６ｂとして示す機能動作として、上記再生処理部５から供給されるオーディオデータについてイコライジング処理を施す。例えばイコライザ６ｂは、ＦＩＲ（Finite Impulse Response）フィルタなどで実現することができる。
また、図中のＮＣ（ノイズキャンセリング）フィルタ６ａとして示す機能動作として、上述したヘッドフォン２０のマイクロフォンMICにより検出されマイクアンプ２→Ａ／Ｄ変換器３を介して入力される収音信号（収音データ）に対し、ノイズキャンセリングのための信号特性を与える。このＮＣフィルタ６ａとしては、例えばＦＩＲフィルタなどで構成されるものとなる。
さらに、図中の加算部６ｃとして示す機能動作として、上述したイコライザ６ｂにより処理されたオーディオデータと、上記ＮＣフィルタ６ａにより処理された収音データとを加算する。この加算部６ｃとしての加算処理により得られるデータを加算データと呼ぶ。該加算データは、上記ＮＣフィルタ６ａによりノイズキャンセリングのための特性が与えられた収音データが加算されたものとなる。従って、該加算データに基づく音響再生がオーディオプレイヤ１と接続されたヘッドフォン２０にて行われることで、該ヘッドフォン２０を装着したユーザにノイズ成分がキャンセルされたものとして知覚させることができる。
【００６０】
なお、本実施の形態の場合、ＤＳＰ６は、後述するようにしてシステムコントローラ９から指示された識別情報に基づいて上記ＮＣフィルタ６ａのフィルタ特性及び上記イコライザ６ｂのフィルタ特性を可変的に設定する処理も行うものとなるが、このようなフィルタ特性の設定処理を行う機能ブロックについては図示を省略している。
【００６１】
また、以下では説明の便宜上、ＤＳＰ６における各機能ブロックをハードウエアとして扱うように説明することがある。
【００６２】
ここで、確認のために述べておくと、上記ＤＳＰ６におけるイコライザ６ｂは、ＦＢ方式に対応するヘッドフォン２０が接続された際には、オーディオデータに対して音質劣化抑制のための特性を与えるためのフィルタ（図１のイコライザ１０７）として機能するものとなる。従って、イコライザ６ｂのフィルタ特性は、接続されるヘッドフォン２０に応じて可変的に設定されるべきものとなる。
【００６３】
なお、先の説明によれば、ＦＦ方式の場合にはオーディオデータに対するイコライジングは必須とはならないが、ＦＦ方式に対応するヘッドフォン２０が接続された場合、上記イコライザ４ｂとしては、例えば単に所要のイコライジング処理を行うものとして機能することになる。
【００６４】
上記のようにしてＤＳＰ６で得られる加算データは、Ｄ／Ａ変換器７にてアナログ信号に変換された後、パワーアンプ８で増幅されてオーディオ出力端子ＴAoutに供給される。
【００６５】
システムコントローラ９は、例えばＲＯＭ（Read Only Memory）、ＲＡＭ（Random Access Memory）、ＣＰＵ（Central Processing Unit）などを備えたマイクロコンピュータで構成され、例えば上記ＲＯＭ、又はメモリ１０等の記憶手段に記憶されるプログラムに基づく各種の制御処理や演算を行うことで、オーディオプレイヤ１の全体制御を行う。
例えば、先に説明したストレージ部４に対するデータの書き込み／読み出し制御を行う。また、ストレージ部４、再生処理部５を制御してオーディオデータの再生開始／停止制御なども行う。
【００６６】
また、システムコントローラ９は、図示するプラグ接続検出部１１からの検出出力に基づき、ヘッドフォン２０のプラグ部２０Ａ（後述する）がオーディオプレイヤ１のジャック部１Ａ（後述する）に対して接続されたか否かを判別（判定）する処理も行う。
ここで、上記接続検出部１１は、ヘッドフォン２０におけるプラグ部２０Ａがオーディオプレイヤ１側に形成されたジャック部１Ａに対して抜き差しされることに応じ、例えば上記プラグ部２０Ａの先端部（図７では端子ＴAin-Lの先端となる）によってＯＮ／ＯＦＦされるようにして設けられたメカスイッチとされる。このプラグ接続検出部１１は、上記プラグ部２０Ａが上記ジャック部１Ａに対して差し込まれた（つまり接続された）ことに応じてＯＮ信号、上記プラグ部２０Ａが抜かれた（接続が解除された）ことに応じてＯＦＦ信号を出力する。システムコントローラ９は、上記プラグ接続検出部１１からのＯＮ／ＯＦＦ信号に基づきヘッドフォン２０の接続／非接続を判定する。
【００６７】
また、システムコントローラ９は、ヘッドフォン２０側に設けられた不揮発性メモリ２１から、上述したＩＤ情報２１ａの読み出しを行うが、システムコントローラ９が行う該ＩＤ情報２１ａの読み出し含めた本実施の形態としての処理動作については後述する。
【００６８】
また、システムコントローラ９に対しては、操作部１４が接続される。操作部１４は、例えばオーディオプレイヤ１の筐体外面に表出するようにして備えられる図示されない操作キー等によるの入力デバイスであって、ユーザが各種操作入力やデータ入力を行う。操作部１４で入力された情報はシステムコントローラ９に対して操作又はデータの入力情報として伝達される。システムコントローラ９は入力された情報に対応して必要な演算や制御を行う。
【００６９】
また、システムコントローラ９に対しては、外部通信インタフェース１２が接続される。この外部通信インタフェース１２は、例えばＵＳＢ（Universal Serial Bus）方式など所要のデータ通信方式に従って外部機器との間でデータ通信を行うように構成された通信インタフェース部であり、システムコントローラ９の指示に基づき、図示するインタフェース端子ＴI/Fを介して接続された外部機器（例えばパーソナルコンピュータなどの情報処理装置）との間でデータ通信を行う。
システムコントローラ９は、当該外部通信インタフェース１２を介して得られた外部機器からの転送データを、ストレージ部４やメモリ１０に対して記録させる。これにより、外部の例えばパーソナルコンピュータなどに格納されたオーディオデータをストレージ部４などに記録したり、或いはパーソナルコンピュータがネットワーク上からダウンロードした、オーディオプレイヤ１（システムコントローラ９、ＤＳＰ６）についてのアップロードプログラムなどのデータをメモリ１０などに記録することが可能とされている。
【００７０】
また、システムコントローラ９に対しては、表示部１３が接続される。表示部１３は例えば液晶ディスプレイ、有機ＥＬディスプレイなどの表示デバイスとされ、システムコントローラ９からの指示に応じて所要の情報表示を行う。
【００７１】
ここで、上記システムコントローラ９による読み出しが可能なメモリ１０には、ＩＤ−フィルタ特性対応情報１０ａが格納されている。
このＩＤ−フィルタ特性対応情報１０ａは、図８に示されるように、先の図５にて提示した、オーディオプレイヤ１が対応可能とされる各タイプのヘッドフォン２０ごとに付されるＩＤの情報（ＩＤ情報２１ａ）と、そのＩＤにより特定されるタイプのヘッドフォン２０が接続された場合に、ＮＣフィルタ６ａにて設定されるべきとして定められたフィルタ特性の情報及びイコライザ６ｂにて設定されるべきとして定められたフィルタ特性の情報とが対応づけられた情報とされる。
図８に示されるように、例えばＩＤ：０に対してはｔｙｐｅ０としてのＮＣフィルタ６ａのフィルタ特性情報、及びｔｙｐｅＡとしてのイコライザ６ｂのフィルタ特性情報が対応づけられる。また、ＩＤ：１に対しては、例えばｔｙｐｅ１としてのＮＣフィルタ６ａのフィルタ特性情報、及びｔｙｐｅＢとしてのイコライザ６ｂのフィルタ特性情報が対応づけられ、ＩＤ：２に対してはｔｙｐｅ２としてのＮＣフィルタ６ａのフィルタ特性情報、及びｔｙｐｅＡとしてのイコライザ６ｂのフィルタ特性情報が対応づけられる。さらに、ＩＤ：３に対しては例えばｔｙｐｅ３としてのＮＣフィルタ６ａのフィルタ特性情報、及びｔｙｐｅＣとしてのイコライザ６ｂのフィルタ特性情報が対応づけられている。
【００７２】
なお、確認のために述べておくと、フィルタ特性は、ＮＣフィルタ６ａ、イコライザ６ｂとしての機能を実現するためのフィルタ構成（フィルタの段数なども含む）や、フィルタ係数によって定まるものである。上記フィルタ特性情報としては、これらフィルタ構成やフィルタ係数についてのパラメータ情報が格納されることになる。
【００７３】
[ヘッドフォン種別に応じた信号処理特性の設定]
ここで、本実施の形態の音響再生システムのようにヘッドフォン装置で再生される音声についてノイズキャンセリングを行うシステムにおいて、使用するヘッドフォン装置の変更を可能としつつ適正なノイズキャンセリング効果が得られるようにするにあたっては、オーディオプレイヤ１に対して接続されるヘッドフォン２０のタイプごとに、予め定められたフィルタ特性をＮＣフィルタ６ａ（及びイコライザ６ｂ）に対して可変的に設定する必要がある。そして、このように使用するヘッドフォン２０に応じてフィルタ特性を可変的に設定するとしたときには、当然のことながら実際に使用されるヘッドフォン２０のタイプが何れのタイプに該当するかを識別する必要がある。
【００７４】
このような識別にあたっては、例えば使用するヘッドフォン２０の別の情報をユーザ操作に基づき取得することが考えられるが、ユーザの入力情報に基づく識別を行う場合には、必然的にユーザに操作負担を強いるものとなり、利便性に欠けるシステムとなってしまう。
また、このようにユーザの操作入力に基づく識別を行う場合には、ユーザの勘違い等で実際に使用されるヘッドフォン２０とは別のヘッドフォン２０が選択されてしまう可能性もあり、その場合、適正なノイズキャンセリング効果を得ることができなくなってしまうといった問題が生じる。
【００７５】
そこで、本実施の形態では、上述のようにしてヘッドフォン２０側に不揮発性メモリ２１を備えようにし、該不揮発性メモリ２１に対して、ヘッドフォン２０のタイプの別ごとに固有となるＩＤ情報２１ａ（ＩＤ：０〜ＩＤ：３）を記憶させるものとしている。
【００７６】
本実施の形態において、オーディオプレイヤ１側では、ヘッドフォン２０が接続されたとき、上記不揮発性メモリ２１に記憶されたＩＤ情報２１ａを読み出す。つまりこれにより、装置側で自動的にヘッドフォン２０のタイプの別を識別可能とするものである。
さらに、このように読み出したＩＤ情報２１ａと、メモリ１０内に格納されたＩＤ−フィルタ特性対応情報１０ａとに基づき、ＮＣフィルタ６ａ及びイコライザ６ｂのフィルタ特性を設定する。具体的には、ＩＤ−フィルタ特性対応情報１０ａにおいて、上記読み出したＩＤ情報２１ａと対応づけられているＮＣフィルタ６ａ及びイコライザ６ｂのフィルタ特性を設定するものである。
これにより、使用するヘッドフォン２０の種別に応じた適切な信号処理特性を装置側で自動的に設定することができる。すなわち、装置側で自動的に、使用するヘッドフォン２０に応じた適正なノイズキャンセリング効果が得られるようにすることができる。
【００７７】
図９は、上記により説明した第１の実施の形態としての特性設定（変更）動作を実現するために実行されるべき処理動作を示したフローチャートである。
なお、この図９において、図中システムコントローラとして示す処理動作は、システムコントローラ９が例えば上述したＲＯＭなどに記憶されるプログラムに基づいて実行するものである。また、ＤＳＰとして示す処理動作は、ＤＳＰ６がメモリ１０に格納されたプログラムに基づき実行するものである。
【００７８】
先ず、システムコントローラ９側において、図中のステップＳ１０１では、プラグが接続されるまで待機する処理を実行する。先に述べたようにして、プラグ部２０Ａの接続／非接続は、図４に示されるプラグ接続検出部１１からのＯＮ／ＯＦＦ信号に基づき判定することができる。
【００７９】
プラグが接続されたことに応じては、ステップＳ１０２において、ＩＤの読み取り処理を実行する。すなわち、ヘッドフォン２０内に設けられた不揮発性メモリ２１からＩＤ情報２１ａを読み出す。
【００８０】
続くステップＳ１０３では、対応情報に合致するＩＤがあるか否かについて判別処理を行う。つまり、メモリ１０内に格納されたＩＤ−フィルタ特性対応情報１０ａにおいて、上記ステップＳ１０２で読み取ったＩＤと合致するＩＤが存在するか否かを判別する。
ステップＳ１０３において、対応情報に合致するＩＤがないとして否定結果が得られた場合は、ステップＳ１０５に進んで未対応通知処理を実行する。ここで、ステップＳ１０３にて否定結果が得られる場合としては、接続されたヘッドフォン２０が例えば新規に発売されたものであるなど、その時点で未対応機種である場合が想定される。これに応じ、ステップＳ１０５の未対応通知処理としては、図４に示した表示部１３に、接続されたヘッドフォン２０が未対応である旨を表す情報表示を実行させる。表示する具体的な情報内容としては、接続されたヘッドフォン２０が未対応である旨を表す情報と共に、外部の例えばパーソナルコンピュータなどのネットワーク接続が可能な情報処理装置に接続して、ＩＤ−フィルタ特性対応情報１０ａに追加すべきＩＤ情報及びフィルタ特性情報のダウンロードを指示するための情報を表示させてもよい。
ステップＳ１０５の処理を実行すると、この図に示すシステムコントローラ９側の処理動作は終了となる。
【００８１】
一方、上記ステップＳ１０３において、対応情報に合致するＩＤが存在するとして肯定結果が得られた場合は、ステップＳ１０４に進んでＩＤをＤＳＰに対して指示する。すなわち、ステップＳ１０２の処理で取得したＩＤ情報２１ａをＤＳＰ６に対して指示する。
【００８２】
ＤＳＰ６側においては、図中のステップＳ２０１により、システムコントローラ９側からのＩＤ情報の指示を待機するようにされている。そして、ＩＤ情報の指示があった場合は、ステップＳ２０２において、指示されたＩＤ情報と対応づけられたフィルタ特性情報に基づき、ＮＣフィルタの特性及びイコライザの特性を設定する処理を実行する。すなわち、ＩＤ−フィルタ特性対応情報１０ａにおいて、指示されたＩＤと合致するＩＤの情報と対応づけられたＮＣフィルタ６ａ及びイコライザ６ｂのフィルタ特性情報に基づき、ＮＣフィルタ６ａのフィルタ特性、及びイコライザ６ｂのフィルタ特性を設定する処理を実行する。
ステップＳ２０２の処理を実行すると、この図に示すＤＳＰ６側の処理動作は終了となる。
【００８３】
上記により説明した第１の実施の形態によれば、使用するヘッドフォン２０の機種の別の情報をユーザ操作によらず装置側で自動的に識別することができる。またこれと共に、使用するヘッドフォン２０の種別に応じた適切な信号処理特性を装置側で自動的に設定することができる。つまり、ユーザ操作によらず自動的に、使用するヘッドフォン２０に応じた適正なノイズキャンセリング処理が行われるようにすることができる。
【００８４】
このようにして、使用するヘッドフォン２０に応じた適正なノイズキャンセリング処理が行われるようにすることができれば、ノイズキャンセリング機能を有する音響再生システムとして、使用するヘッドフォン２０を自由に変更可能な優れたシステムを実現することができる。
【００８５】
また、本実施の形態によれば、使用するヘッドフォン２０に応じた信号処理特性の可変設定は、ヘッドフォン２０側に記憶させたＩＤ情報に基づき自動的に行うことができるので、例えばユーザ操作に基づき使用するヘッドフォン２０の別を選択させる場合と比較して、ユーザの操作負担を軽減した利便性の高いシステムを実現することができる。
また、これと共に、ユーザの勘違い等で実際に使用されるヘッドフォン２０とは別のヘッドフォン２０が選択されて、適正なノイズキャンセリング効果を得ることができなくなってしまうといった事態の発生を効果的に防止することができる。
【００８６】
＜第２の実施の形態＞
続いて、第２の実施の形態について説明する。
上記により説明した第１の実施の形態では、ヘッドフォン２０の所定の種別ごとに固有となるＩＤ情報として、先の図５で説明したような機種の別ごとに固有となるＩＤ情報を付すものとしたが、第２の実施の形態は、このような機種の別のみでなく、さらにヘッドフォン２０の個体ごとの音響特性の別も含めて各ヘッドフォン２０を区別するＩＤ情報を付すようにするものである。
【００８７】
ここで、先にも述べたように、ヘッドフォンを構成する音響部品は、そのメカ機構自体が機能・性能に直接関わるものであり、電気部品と比較した場合には、そのばらつきによる影響が大きなものとなる。従って、ヘッドフォンの個体ごとに音響部品のばらつきが生じる場合には、同一機種のヘッドフォンであっても、聴感上の差が相応に生じてしまうものとなる。
【００８８】
また、このような音響部品のばらつきに伴う問題は、左右のチャンネル間においても同様に生じる。左右チャンネル間で聴感上の変化が生じた場合には、音像の定位感が悪化するなどの問題が生じてしまう。
【００８９】
現状においては、このような問題の解決を図るべく、左右両チャンネルのペアリングも含めて、ヘッドフォンの個体ごとに音響特性の測定を行い、その測定結果に基づく選別を行うものとしている。すなわち、この選別によって基準を満たすとされた製品のみを出荷するというものである。
【００９０】
しかしながら、このような選別による手法を採る場合において、選別から外れたものは廃棄処分することになる。この点で上記現状の手法は、装置製造コストが嵩んでしまうことが問題となる。
【００９１】
そこで、第２の実施の形態では、ヘッドフォン２０の個体ごとに音響部品の特性を測定し、その測定結果の別も含めて各ヘッドフォン２０を識別するためのＩＤ情報（２１ｂ）を各ヘッドフォン２０に対して格納しておく。そして、オーディオプレイヤ１側では、このようなＩＤ情報２１ｂに基づき、機種の別と共にこのような音響部品の特性の別も含めたヘッドフォン２０の区分ごとに、対応する信号処理特性の設定を行う。
【００９２】
図１０は、第２の実施の形態としての音響再生システムの構成について説明するための図として、第２の実施の形態としてのオーディオプレイヤ１とヘッドフォン２０の内部構成を示している。
なお、以下の説明において、既に説明した部分と同様となる部分については同一符号を付して説明を省略する。
【００９３】
第２の実施の形態の音響再生システムでは、先の第１の実施の形態の音響再生システムと比較して、ヘッドフォン２０の不揮発性メモリ２１に格納される情報が異なるものとなる。また、オーディオプレイヤ１側において、メモリ１０内に格納される情報が異なると共に、ＤＳＰ６内の機能ブロックにも若干の変更が加えられる。
【００９４】
第２の実施の形態において、ヘッドフォン２０内の不揮発性メモリ２１には、次の図１１に示されるような構造によるＩＤ情報２１ｂが格納されることになる。
この図１１に示されるように、ＩＤ情報２１ｂとしては、ヘッドフォンＩＤ（機種ＩＤ）、Ｌｃｈドライバ周波数特性種別、Ｒｃｈドライバ周波数特性種別、Ｌｃｈドライバ感度種別、Ｒｃｈドライバ感度種別、Ｌｃｈマイク感度種別、Ｒｃｈマイク感度種別の各情報が組み合わされて成る。
【００９５】
ヘッドフォンＩＤは、先の図５に示した機種別のＩＤ（ＩＤ０〜ＩＤ３）に相当するものである。
また、Ｌｃｈドライバ周波数特性種別、Ｒｃｈドライバ周波数特性種別の情報は、それぞれＬｃｈのドライバDRVの周波数特性の別、ＲｃｈのドライバDRVの周波数特性の別を表す情報である。同様にＬｃｈドライバ感度種別、Ｒｃｈドライバ感度種別の情報は、それぞれＬｃｈのドライバDRVの感度（ゲイン）の別、ＲｃｈのドライバDRVの感度の別を表す情報である。
また、Ｌｃｈマイク感度種別、Ｒｃｈマイク感度種別の情報は、それぞれＬｃｈのマイクロフォンMICの感度（ゲイン）の別、ＲｃｈのマイクロフォンMICの感度の別を表す情報である。
【００９６】
なお、図示されているように、この場合においてヘッドフォンＩＤは８bit、それ以外の各種別の情報は４bitを割り当てるものとしている。従ってこの場合におけるＩＤ情報２１ｂは３２bitのデータ長とされる。
【００９７】
ここで、上記Ｌｃｈドライバ周波数特性種別、Ｒｃｈドライバ周波数特性種別の情報については、予めＬｃｈ／Ｒｃｈの各ドライバDRVについて周波数特性の測定を行った結果に基づき設定する。具体的には、例えば次の図１２（ａ）に示されるように、周波数特性について大まかなタイプの別を複数種定義しておく。この場合、周波数特性としては所定周波数以下の低域成分のみに着目するものとし、該低域成分の周波数特性の別を定義するものとしている。例えば本例の場合、ドライバ周波数特性種別の情報としては４bitが割り当てられるので、３２タイプを定義しておくものとする。図のように、各周波数特性のタイプごとに、対応する４bitの符号を割り当てる。
具体的な手順としては、Ｌｃｈ、Ｒｃｈの各ドライバDRVについて周波数特性の測定を行い、それぞれ低域成分の周波数特性が図１２（ａ）に示されるような特性のうち何れに該当するかを決定する。そして、決定したタイプに対応する符号を、Ｌｃｈ、Ｒｃｈのドライバ周波数特性種別の情報として設定する。
【００９８】
Ｌｃｈドライバ感度種別、Ｒｃｈドライバ感度種別、Ｌｃｈマイク感度種別、Ｒｃｈマイク感度種別の各情報についても、例えば図１２（ｂ）に示されるように予め所定数の感度タイプ（この場合は３２タイプ）と符号との対応づけを行っておき、Ｌｃｈ、Ｒｃｈの各ドライバDRV、Ｌｃｈ、Ｒｃｈの各マイクロフォンMICについてそれぞれ感度の測定を行った結果に基づき、対応する符号を感度種別の情報として設定する。
【００９９】
ここで、上記説明からも理解されるように、この場合のＩＤ情報２１ｂとしては、ヘッドフォン２０の機種の別、及びＬｃｈ、Ｒｃｈの各ドライバDRVについての周波数特性の別並びに感度の別、及びＬｃｈ、Ｒｃｈの各マイクロフォンMICの感度の別を組み合わせた情報となる。
このような構造によるＩＤ情報２１ｂは、上記ヘッドフォン２０の機種の別だけでなく、Ｌｃｈ、Ｒｃｈの各ドライバDRVについての周波数特性の別並びに感度の別、及びＬｃｈ、Ｒｃｈの各マイクロフォンMICの感度の別の各音響特性の別も併せてヘッドフォン２０の種別を定義したときに、該種別を識別するための情報として機能するものとなる。
【０１００】
説明を図１０に戻す。
この場合のオーディオプレイヤ１側では、ＤＳＰ６において、図示するように第１乗算部６ｄ、第２乗算部６ｅ、第２イコライザ６ｆとしての機能ブロックが追加される。
第１乗算部６ｄは、Ａ／Ｄ変換器３からの収音データに対して、設定されたゲインを与える。すなわち、上記収音データについてのゲイン調整を行う。
この場合のＮＣフィルタ６ａは、上記第１乗算部６ｄによりゲイン調整が行われた収音データに対してＮＣフィルタ処理を施すようにされる。
【０１０１】
また、第２乗算部６ｅは、加算部６により得られた加算データに対し設定されたゲインを与えることで、上記加算データについてのゲイン調整を行う。
【０１０２】
第２イコライザ６ｆは、例えばＦＩＲフィルタで構成され、上記第２乗算部６ｅによりゲイン調整された上記加算データに対しイコライジング処理を行う。第２イコライザ６ｆによりイコライジング処理が施された加算データは、Ｄ／Ａ変換器７に対して供給される。
なお、以下では、上記第２イコライザ６ｆと区別するために、再生処理部５からのオーディオデータ（つまり収音信号と合成されてヘッドフォン２０に供給されることになる音声信号）についてイコライジングを行うイコライザ６ｂについては、第１イコライザ６ｂと表記する。つまり、収音データに対してイコライジングを行うイコライザは第２イコライザ６ｆ、上記収音データと合成されてヘッドフォン２０に供給されるオーディオデータに対してイコライジングを行うイコライザが第１イコライザ６ｂとなる。
【０１０３】
ここで、この場合も図示の都合上、オーディオ信号の処理系として１ｃｈ分の構成のみを示しているが、この場合としても実際にはＬｃｈ、Ｒｃｈの２ｃｈ分の構成が設けられることは言うまでもない。特に、ＤＳＰ６において、第１乗算部６ｄ、ＮＣフィルタ６ａ、第１イコライザ６ｂ、加算部６ｃ、第２乗算部６ｅ、第２イコライザ６ｆは、それぞれＬｃｈ用とＲｃｈ用の２つが設けられることになる。
【０１０４】
また、図１０において、この場合のオーディオプレイヤ１内のメモリ１０に対しては、図示するようにＩＤ−特性対応情報１０ｂが格納される。
このＩＤ−特性対応情報１０ｂは、図１３に示されるように、先の図１１にて説明したＩＤ情報（２１ｂ）と、各ＩＤ情報に対応して設定されるべきとして定められた特性情報とが対応づけられた情報となる。
ここで、各ＩＤ情報と対応づけられる特性情報としては、先の第１の実施の形態で説明したＮＣフィルタ６ａのフィルタ特性情報（図中ＮＣフィルタ特性）及びイコライザ（第１イコライザ）６ｂのフィルタ特性情報（図中第１イコライザ特性）に加えて、Ｌｃｈ、Ｒｃｈ第２イコライザ特性の情報、及びＬｃｈ、Ｒｃｈ第２乗算部ゲインの情報、及びＬｃｈ、Ｒｃｈ第１乗算部ゲインの情報が組み合わされたものとなる。
Ｌｃｈ、Ｒｃｈ第２イコライザ特性の情報は、Ｌｃｈの第２イコライザ６ｆのフィルタ特性情報、及びＲｃｈの第２イコライザ６ｆのフィルタ特性情報である。
同様に、Ｌｃｈ、Ｒｃｈ第２乗算部ゲインの情報は、Ｌｃｈの第２乗算部６ｅに設定されるべきゲインの情報、及びＲｃｈの第２乗算部６ｅに設定されるべきゲインの情報である。
また、Ｌｃｈ、Ｒｃｈ第１乗算部ゲインの情報は、Ｌｃｈの第１乗算部６ｄに設定されるべきゲインの情報、及びＲｃｈの第１乗算部６ｄに設定されるべきゲインの情報である。
【０１０５】
先の第１の実施の形態の説明からも理解されるように、ＮＣフィルタ特性情報及び第１イコライザ特性情報は、ヘッドフォンＩＤと一対一で対応するものである。この場合としても、これらＮＣフィルタ特性情報及び第１イコライザ特性情報としては、Ｌｃｈ／Ｒｃｈの双方で共通の情報でよい。
【０１０６】
また、Ｌｃｈの第２イコライザ特性情報、Ｒｃｈの第２イコライザ特性情報は、それぞれＬｃｈドライバ周波数特性種別、Ｒｃｈ周波数特性種別に応じて設定されるべき情報となる。この場合、Ｌｃｈの第２イコライザ６ｆ、Ｒｃｈの第２イコライザ６ｆによっては、それぞれＬｃｈのドライバDRVの周波数特性、ＲｃｈのドライバDRVの周波数特性を独立して補償するものとしている。このために、Ｌｃｈドライバ周波数特性種別に応じたＬｃｈのイコライザ６ｂのフィルタ特性情報、及びＲｃｈのドライバDRVの周波数特性種別に応じたＲｃｈのイコライザ６ｂのフィルタ特性情報は、それぞれ個別に格納することになる。
【０１０７】
また、Ｌｃｈの第２乗算部ゲインの情報、Ｒｃｈの第２乗算部ゲインの情報は、それぞれＬｃｈのドライバDRVの感度、ＲｃｈのドライバDRVの感度を個別に補償するための情報であり、これらは、Ｌｃｈドライバ感度種別の情報、Ｒｃｈドライバ感度種別の情報ごとに個別に格納されるものとなる。
【０１０８】
また、Ｌｃｈの第１乗算部ゲインの情報、Ｒｃｈの第１乗算部ゲインの情報は、それぞれＬｃｈのマイクロフォンMICの感度、ＲｃｈのマイクロフォンMICの感度を個別に補償するための情報であり、これらの情報としても、Ｌｃｈマイク感度種別の情報、Ｒｃｈマイク感度種別の情報ごとに個別に格納される。
【０１０９】
図１４は、第２の実施の形態のオーディオプレイヤ１にて行われるべき処理動作を示したフローチャートである。
なお、この図においてもシステムコントローラとして示す処理動作は、システムコントローラ９が例えば内部のＲＯＭなどに記憶されるプログラムに基づいて実行するものであり、また、ＤＳＰとして示す処理動作はＤＳＰ６がメモリ１０に格納されたプログラムに基づき実行するものである。
図１４では先の第１の実施の形態の場合の処理動作との差が明確となるように、図９にて説明した処理と同内容となる処理については同一のステップ番号を付している。
【０１１０】
先ず、システムコントローラ９側においては、この場合もステップＳ１０１によりプラグ接続の待機処理を行い、プラグが接続されたとした場合はステップＳ１０２においてヘッドフォン２０側の不揮発性メモリ２１からのＩＤ情報（２１ｂ）の読み取りを行う。
【０１１１】
そしてこの場合は、上記ステップＳ１０２によるＩＤ読み取り処理を実行すると、ステップＳ３０１において、対応情報に合致する機種ＩＤ（ヘッドフォンＩＤ）があるか否かを判別するようにされる。すなわち、ＩＤ−特性対応情報１０ｂにおいて、上記ステップＳ１０２により読み取ったＩＤ情報２１ｂに含まれるヘッドフォンＩＤ（例えばこの場合は先頭の８bitの情報）と合致するヘッドフォンＩＤが格納されているか否かを判別する。
【０１１２】
上記ステップＳ３０１において、対応情報内に合致する機種ＩＤが格納されていないとして否定結果が得られた場合は、ステップＳ１０５に進んで未対応通知を行った後、この図に示される処理動作を終了する。
一方、上記ステップＳ３０１において、対応情報内に合致する機種ＩＤが格納されているとして肯定結果が得られた場合は、ステップＳ３０２に進んでＩＤ情報（２１ｂ）をＤＳＰ９に対して指示した後、この図に示される処理動作を終了する。
【０１１３】
ＤＳＰ９側では、この場合もステップＳ２０１の処理によりシステムコントローラ９側からのＩＤ情報の指示を待機するようにされる。そしてこの場合、ＩＤ情報が指示された場合は、ステップＳ４０１において、指示されたＩＤと対応づけられた特性情報に基づき、ＮＣフィルタの特性、各イコライザの特性、及び各ゲインの設定を行う。すなわち、ＩＤ−特性対応情報１０ｂにおいて格納される特性情報のうち、指示されたＩＤ情報と対応づけられた特性情報に基づき上記各特性の設定を行う。
具体的には、上記指示されたＩＤ情報と対応づけられた特性情報のうち、ＮＣフィルタ特性の情報に基づいてＮＣフィルタ６ａ（Ｌｃｈ、Ｒｃｈの双方）のフィルタ特性を設定し、また第１イコライザ特性の情報に基づいて第１イコライザ６ｂ（Ｌｃｈ、Ｒｃｈの双方）のフィルタ特性を設定する。また、これと共に、上記指示されたＩＤ情報と対応づけられた特性情報のうちＬｃｈの第２イコライザ特性の情報に基づいてはＬｃｈの第２イコライザ６ｆのフィルタ特性を設定し、Ｒｃｈの第２イコライザ特性の情報に基づいてはＲｃｈの第２イコライザ６ｆのフィルタ特性を設定し、さらに、Ｌｃｈの第２乗算部ゲインの情報に基づきＬｃｈの第２乗算部６ｅのゲインを設定し、Ｒｃｈの第２乗算部ゲインの情報に基づきＲｃｈの第２乗算部６ｅのゲインを設定し、且つＬｃｈの第１乗算部ゲインの情報に基づきＬｃｈの第１乗算部６ｄのゲインを設定し、Ｒｃｈの第１乗算部ゲインの情報に基づきＲｃｈの第１乗算部６ｄのゲインを設定する。
このステップＳ４０１の処理を実行すると、この図に示されるＤＳＰ６の処理動作は終了となる。
【０１１４】
上記のようにして第２の実施の形態では、機種の別のみでなく、音響部品の特性ばらつきに起因する個体ごとの音響特性の別も含めて各ヘッドフォン２０を識別可能とした上で、上記個体ごとの音響特性の別に応じて、その特性の補償を行うものとしている。
ここで、本例のように音響再生システムがノイズキャンセリング機能を有する場合、ヘッドフォン２０の個体ごとに音響特性のばらつきが生じるときには当然のことながら適切なノイズキャンセリング効果が得られなくなってしまうことになる。このことから、上記のように個体ごとの音響特性の差を補償することができることで、そのような個体ごとの特性ばらつきも考慮して適正なノイズキャンセリング効果が得られるようにすることができる。
【０１１５】
また、このように個体ごとの音響特性を補償する手法を採るものとすれば、従来のように選別に外れた製品を廃棄する必要はないものとできる。つまりこの結果、ヘッドフォン２０の製造コストの削減を図ることができる。
【０１１６】
また、ドライバ周波数特性、ドライバ感度、マイク感度については、Ｌｃｈ、Ｒｃｈでそれぞれ独立して特性補償を行うので、左右のペアリングが良好でない製品についても廃棄する必要はなくなり、この点でも装置製造コストの削減が図られる。
【０１１７】
なお、第２の実施の形態では、マイクロフォンMICの感度特性の補償を行うにあたり、第１乗算部６ｄを設けるものとしたが、この第１乗算部６ｄとしての機能は、ＮＣフィルタ６ａに含ませて、マイク感度の特性ばらつきを、ＮＣフィルタ６ａのフィルタ特性の設定で補償するようにすることもできる。この場合、ＮＣフィルタ６ａのフィルタ特性情報としては、機種ＩＤと一対一で対応させるのではなく、機種の別とマイク感度の別との組み合わせごとに一対一に対応させた情報とすることになる。
【０１１８】
また、このことは、第２イコライザ６ｆと第２乗算部６ｅとの関係においても同様である。すなわち、上記による説明では、ドライバDRVの感度特性の補償にあたり第２乗算部６ｅを設けるものとしたが、この第２乗算部６ｅによるゲイン調整機能を、第２イコライザ６ｆによるイコライジング処理に含ませるものとし、ドライバ感度の特性ばらつきを該第２イコライザ６ｆのフィルタ特性の設定により補償することができる。この場合、第２イコライザ６ｆのフィルタ特性情報は、ドライバ周波数特性種別と一対一で対応させるのではなく、ドライバ周波数特性種別とドライバ感度の別との組み合わせごとに一対一に対応させた情報とすればよい。
【０１１９】
＜第３の実施の形態＞
第３の実施の形態は、ヘッドフォン２０に対してその種別を表すＩＤ情報を記憶させるのではなく、そのヘッドフォン２０に対応して設定されるべき特性情報そのものを記憶させるようにするものである。
【０１２０】
図１５は、第３の実施の形態としての音響再生システムの構成について説明するための図として、第３の実施の形態としてのオーディオプレイヤ１とヘッドフォン２０の内部構成をそれぞれ示している。
先ず、第１の実施の形態の場合と比較して、この場合のヘッドフォン２０においては、不揮発性メモリ２１内にＩＤ情報２１ａは格納されず、代わりにフィルタ特性情報２１ｃが格納されるものとなる。このフィルタ特性情報２１ｃは、第１の実施の形態の場合のオーディオプレイヤ１側に格納されていたＩＤ−フィルタ特性対応情報１０ａ（図８参照）におけるフィルタ特性情報（ＮＣフィルタ特性情報及びイコライザ特性情報）と同じ情報内容となる。
第３の実施の形態の場合、各機種のヘッドフォン２０に対しては、そのヘッドフォン２０が属する機種に対応してＤＳＰ６にて設定されるべきフィルタ特性情報２１ｃが不揮発性メモリ２１において格納されることとなる。
【０１２１】
また、図１５において、この場合のオーディオプレイヤ１側では、メモリ１０内に格納されていたＩＤ−フィルタ特性対応情報１０ａが省略される。
【０１２２】
図１６は、第３の実施の形態としてのオーディオプレイヤ１において実行されるべき処理動作を示したフローチャートである。
なお、この図１６においてもシステムコントローラとして示す処理動作はシステムコントローラ９が例えば内部のＲＯＭなどに記憶されるプログラムに基づいて実行するものであり、また、ＤＳＰとして示す処理動作はＤＳＰ６がメモリ１０に格納されたプログラムに基づき実行するものである。
また、この場合も先の第１の実施の形態の場合の処理動作との差が明確となるように、図９にて説明した処理と同内容となる処理については同一のステップ番号を付している。
【０１２３】
図１６において、この場合もシステムコントローラ９は、ステップＳ１０１の処理によりプラグ接続を待機するようにされる。そしてこの場合、プラグが接続されたとした場合は、ステップＳ５０１において、フィルタ特性情報の読み取りを行う。つまり、ヘッドフォン２０内の不揮発性メモリ２１に格納されるフィルタ特性情報２１ｃを読み出す。
その上で、続くステップＳ５０２において、読み取ったフィルタ特性情報をＤＳＰ６に転送した後、この図に示される処理動作を終了する。
【０１２４】
ＤＳＰ６側では、ステップＳ６０１においてシステムコントローラ９側からのフィルタ特性情報の転送を待機し、フィルタ特性情報が転送された場合は、ステップＳ６０２において、転送されたフィルタ特性情報に基づきＮＣフィルタの特性及びイコライザの特性を設定する。つまり、転送されたフィルタ特性情報内に含まれるＮＣフィルタ特性情報に基づきＮＣフィルタ６ａのフィルタ特性を設定し、また上記フィルタ特性情報内に含まれるイコライザ特性情報に基づきイコライザ６ｂのフィルタ特性を設定する。
ステップＳ６０２の処理を実行すると、この図に示されるＤＳＰ６側の処理動作は終了となる。
【０１２５】
このような第３の実施の形態としての手法によっても、第１の実施の形態の場合と同様に、ヘッドフォン２０の機種ごとに対応した適切とされるフィルタ特性の設定を行うことができ、使用するヘッドフォン２０を変更した場合にも適切なノイズキャンセリング効果が得られるようにすることができる。つまりこの点において、第１の実施の形態の場合と同様の効果を得ることができる。
【０１２６】
また、第３の実施の形態では、特性情報そのものをヘッドフォン２０側に格納するものとしているので、メモリ１０内にＩＤ−フィルタ特性情報１０ａを格納する必要がないものとできる。
また、このように特性情報そのものをヘッドフォン２０側に格納するので、第１の実施の形態の場合のような未対応通知のための処理（Ｓ１０３及びＳ１０５）は省略することができる（図１６のステップＳ５０２→Ｓ５０３を参照）。これによれば、システムコントローラ９が未対応であるか否かを判別するためにＩＤ−フィルタ特性対応情報１０ａ内のＩＤ情報をスキャンする処理を行う必要はなくなり、その分、システムコントローラ９の処理負担の軽減を図ることができる。
また、ＤＳＰ６がＩＤ−フィルタ特性情報１０ａから対応するフィルタ特性情報を検索する処理も省略することができるという点でも、処理負担の軽減が図られる。
【０１２７】
なお、ここでは特性情報そのものを格納する場合の例として、機種の別のみに応じたフィルタ特性情報を格納する場合を例示したが、先の第２の実施の形態の場合のように、機種の別のみでなく、個体ごとの特性の別も含めたヘッドフォン２０の種別ごとに、対応する特性情報（ＮＣフィルタ特性の情報、及び第１イコライザ特性の情報、及びＬｃｈ、Ｒｃｈ第２イコライザ特性の情報、及びＬｃｈ、Ｒｃｈ第２乗算部ゲインの情報、及びＬｃｈ、Ｒｃｈ第１乗算部ゲインの情報）を各ヘッドフォン２０に対して記憶させることもできる。この場合、オーディオプレイヤ１側では、ヘッドフォン２０側から読み出したこれら各特性情報に関し、ＮＣフィルタ特性の情報に基づいてＬｃｈ、Ｒｃｈ双方のＮＣフィルタ６ａのフィルタ特性を設定し、第１イコライザ特性の情報に基づいてＬｃｈ、Ｒｃｈ双方の第１イコライザ６ｂのフィルタ特性を設定し、Ｌｃｈの第２イコライザ特性の情報に基づいてＬｃｈの第２イコライザ６ｆのフィルタ特性を設定し、Ｒｃｈの第２イコライザ特性の情報に基づいてＲｃｈの第２イコライザ６ｆのフィルタ特性を設定し、Ｌｃｈの第２乗算部ゲインの情報に基づきＬｃｈの第２乗算部６ｅのゲインを設定し、Ｒｃｈの第２乗算部ゲインの情報に基づきＲｃｈの第２乗算部６ｅのゲインを設定し、Ｌｃｈの第１乗算部ゲインの情報に基づきＬｃｈの第１乗算部６ｄのゲインを設定し、Ｒｃｈの第１乗算部ゲインの情報に基づきＲｃｈの第１乗算部６ｄのゲインを設定することになる。
【０１２８】
＜第４の実施の形態＞
第４の実施の形態は、ヘッドフォン２０に設けた無線タグに対して、ヘッドフォン２０の種別ごとの情報を記憶させ、オーディオプレイヤ１側で上記無線タグに記憶される情報を読み取るようにしたものである。
【０１２９】
図１７は、第４の実施の形態のオーディオプレイヤ１に形成されるジャック部１Ａと、ヘッドフォン２０側に形成されるプラグ部２０Ａの構造を例示している。
図示するようにして、この場合のヘッドフォン２０におけるプラグ部２０Ａには、無線タグ２２が設けられる。
また、オーディオプレイヤ１におけるジャック部１Ａには、上記無線タグ２２に記憶される情報を無線通信（非接触）により読み取るためのタグリーダ１６が設けられる。
【０１３０】
この場合、上記無線タグ２２はいわゆるパッシブタイプのものが用いられ、上記タグリーダ１６による電波照射によって電力供給が行われることで、内部のメモリ素子の記憶データを電波により送出する。タグリーダ１６は電波照射に応じて上記無線タグ２２から送出されるデータを読み取る。
【０１３１】
ここで、上記無線タグ２２とタグリーダ１６のそれぞれは、少なくともジャック部１Ａに対しプラグ部２０Ａが接続されたときに、通信可能範囲内に収まる位置関係となるようにして設けられる。
【０１３２】
また、この場合は、ヘッドフォン２０側に記憶される情報の読み取りにあたってデータ通信ライン、及び電源供給のためのラインは不要となるため、先の第１の実施の形態の場合に設けられていたジャック部１Ａ側の電源供給端子Ｔｓ-E、グランド端子Ｔｓ-GND、データ通信端子Ｔｓ-D、及びプラグ部２０Ａ側の電源入力端子Ｔｈ-E、グランド端子Ｔｈ-GND、データ通信端子Ｔｈ-Dは省略されるものとなる。
【０１３３】
確認のため、次の図１８に、第４の実施の形態としてのオーディオプレイヤ１とヘッドフォン２０の内部構成を示しておく。
図示するようにして、この場合のヘッドフォン２０においては、先の第１の実施の形態の場合と比較して、不揮発性メモリ２１、電源入力端子Ｔｈ-E、グランド端子Ｔｈ-GND、データ通信端子Ｔｈ-Dが省略された上で、無線タグ２２が設けられることになる。
この場合、上記無線タグ２２に格納する情報、すなわちヘッドフォン２０側に記憶させる情報としては、先の第１の実施の形態の場合と同様にＩＤ情報２１ａを格納するものとしている。
【０１３４】
また、この場合のオーディオプレイヤ１としては、第１の実施の形態の場合と比較して、不揮発性メモリ２１に対する電力供給を行うための電源部１５、電源供給端子Ｔｓ-E、グランド端子Ｔｓ-GND、データ通信端子Ｔｓ-Dが省略された上で、タグリーダ１６が設けられる点が異なる。図示するようにして、タグリーダ１６による読み取り情報はシステムコントローラ９に対して供給されるようになっている。
【０１３５】
図１９のフローチャートは、第４の実施の形態のオーディオプレイヤ１にて実行されるべき処理動作を示している。
この図１９においてもシステムコントローラとして示す処理動作はシステムコントローラ９が例えば内部のＲＯＭなどに記憶されるプログラムに基づいて実行するものであり、また、ＤＳＰとして示す処理動作はＤＳＰ６がメモリ１０に格納されたプログラムに基づき実行するものである。
なお、この場合も先の第１の実施の形態の場合の処理動作との差が明確となるように、図９にて説明した処理と同内容となる処理については同一のステップ番号を付している。
【０１３６】
この図１９と先の図９とを比較してわかるように、この場合のシステムコントローラ９側の処理としては、先ず、ステップＳ１０１でプラグが接続されたとした場合に、ステップＳ７０１によりタグリーダ１６をＯＮとするための処理を実行するようにされる。そして、続くステップＳ７０２においては、ＩＤ読み取り指示として、タグリーダ１６によって無線タグ２２に対する電波照射を実行させて、無線タグ２２に記憶されたＩＤ情報２１ａの読み取りを実行させる。
【０１３７】
さらに、次のステップＳ７０３では、タグリーダ１６による読み取りが完了するまで待機する処理を実行し、読み取りが完了した場合は、ステップＳ７０４において、読み取られたＩＤ情報を取得する処理を実行する。その上で、次のステップＳ７０５においてタグリーダ１６をＯＦＦとするための処理を実行する。
なお、システムコントローラ９側における以降の処理、及びＤＳＰ６側の処理については図９にて説明したものと同様となるので改めての説明は省略する。
【０１３８】
この第４の実施の形態のように、ヘッドフォン２０側に無線タグ２２により情報を記憶させる構成を採ることで、有線通信により情報読み取りを行う場合に必要とされていた、不揮発性メモリ２１に対する電力供給を行うための構成（端子や配線など）は省略することができる。つまりその分、構成の簡易化が図られる。
【０１３９】
なお、上記による説明では、ヘッドフォン２０側には第１の実施の形態の場合と同様に機種の別のみを表すＩＤ情報２１ａを記憶させるものとしたが、この場合としても、第２の実施の形態の場合と同様に、個体ごとの特性の別も含んで各ヘッドフォン２０を識別するためのＩＤ情報（２１ｂ）を記憶させて、ヘッドフォン２０の個体ごとの特性ばらつきを考慮した補償処理を行うようにすることもできる。
或いは、第３の実施の形態のようにＤＳＰ６にて設定されるべき特性情報そのものを記憶させることもできる。
【０１４０】
＜第５の実施の形態＞
第５の実施の形態は、オーディオプレイヤ側とヘッドフォン装置側との間で無線により音声信号（この場合はマイク信号・オーディオ信号）通信が行われるように構成したものである。
図２０は、第５の実施の形態としての音響再生システムの構成について説明するための図として、第５の実施の形態としてのオーディオプレイヤ３０とヘッドフォン４０の外観図を示している。
図示するようにして、第５の実施の形態としてのヘッドフォン４０には、これまでの各実施の形態で説明したヘッドフォン２０が有するプラグ部２０Ａは形成されないものとなる。そして、このヘッドフォン４０には、無線タグ２２が設けられることになる。
また、オーディオプレイヤ３０にはタグリーダ１６が設けられる。
【０１４１】
図２１は、図２０に示すオーディオプレイヤ３０とヘッドフォン４０の内部構成を示している。
先ずこの場合、ヘッドフォン４０としては、先の第４の実施の形態のヘッドフォン２０（図１８）と比較して、マイク出力端子ＴMout及びオーディオ入力端子ＴAinが省略された上で、Ｄ／Ａ変換器４２、Ａ／Ｄ変換器４３、及び無線通信部４１が設けられた点が異なる。
上記Ｄ／Ａ変換器４２は、上記無線通信部４１がオーディオプレイヤ３０側から受信したオーディオデータをアナログ信号に変換してドライバDRVに供給する。また、上記Ａ／Ｄ変換器４３は、マイクロフォンMICによる収音信号をデジタル信号に変換し、それにより得られる収音データを上記無線通信部４１に対して供給する。
【０１４２】
また、オーディオプレイヤ３０としては、先の第４の実施の形態のオーディオプレイヤ１と比較して、マイク入力端子ＴMin、マイクアンプ２、Ａ／Ｄ変換器３、Ｄ／Ａ変換器７、パワーアンプ８、オーディオ出力端子ＴAoutが省略される一方で、マイクアンプ３１、パワーアンプ３２、及び無線通信部３３が設けられた点が異なる。
上記マイクアンプ３１は、上記無線通信部３３がヘッドフォン４０側から受信した収音データを増幅するデジタルアンプとなる。当該マイクアンプ３１にて増幅された収音データはＤＳＰ６に対して供給される。なお、上記マイクアンプ３１は、ＤＳＰ６の一機能（乗算部）として実現することも可能である。
また、上記パワーアンプ３１は、ＤＳＰ６（加算部６ｃ）から出力される加算データを増幅して上記無線通信部３３に対して供給する。
【０１４３】
なお、ここではオーディオプレイヤ３０が先の各実施の形態で例示したヘッドフォン２０のような有線接続によるヘッドフォン装置に未対応となる構成を例示しているが、もちろん、先の各実施の形態で例示したオーディオプレイヤ１のように、マイク入力端子ＴMin、マイクアンプ２、Ａ／Ｄ変換器３、Ｄ／Ａ変換器７、パワーアンプ８、オーディオ出力端子ＴAoutを備えることで、有線接続によるヘッドフォン装置に対応可能とすることもできる。
【０１４４】
ここで、無線通信部４１と無線通信部３３とは、所定の通信規格に従って無線データ通信を行うように構成される。この場合は、例えばBluetooth（登録商標）規格に基づく無線データ通信を行うようにされる。
無線通信部４１は、上述したＡ／Ｄ変換器４３から供給される収音データを上記無線通信部３３に対して送信すると共に、上記無線通信部３３が送信する上記パワーアンプ３２からの加算データを受信し、これを上述したＤ／Ａ変換器４２に対して供給する。
また、無線通信部３３は、上記パワーアンプ３２から供給される加算データを上記無線通信部４１に送信すると共に、上記無線通信部４１が送信する上記収音データを受信してこれをマイクアンプ３１に対して供給する。
【０１４５】
図２２のフローチャートは、第５の実施の形態のオーディオプレイヤ３０において実行されるべき処理動作を示している。
この図２２においてもシステムコントローラとして示す処理動作はシステムコントローラ９が例えば内部のＲＯＭなどに記憶されるプログラムに基づいて実行するものであり、また、ＤＳＰとして示す処理動作はＤＳＰ６がメモリ１０に格納されたプログラムに基づき実行するものである。
また、この場合は、先の第４の実施の形態の場合の処理動作との差が明確となるように、先の図１９に示した処理と同内容となる処理については同一のステップ番号を付している。
【０１４６】
図２２において、この場合のシステムコントローラ９は、ステップＳ８０１において、ヘッドフォン４０側との接続確立処理が開始となるまで待機するようにされる。具体的にこの場合は、いわゆるペアリング処理が開始となるまで待機するようにされる。
この場合、ペアリング処理は、例えば操作部１４を介したユーザ操作入力に基づき開始するようにされており、従ってステップＳ８０１の処理は、該操作入力を待機する処理となる。
【０１４７】
そして、上記ペアリング処理としての、接続確立処理が開始となった場合は、以下に続くステップＳ７０１〜Ｓ７０５の処理により、タグリーダ１６による無線タグ２２からのＩＤ情報２１ａの読み取り、及び読み取られたＩＤ情報２１ａの取得のための処理を実行するようにされる。
【０１４８】
ここで、第５の実施の形態の音響再生システムでは、ヘッドフォン４０の無線タグ２２に記憶されたＩＤ情報２１ａの読み取りのために、オーディオプレイヤ３０とヘッドフォン４０とのペアリングを行う際（つまり、同じオーディオプレイヤ３０に対し或るヘッドフォン４０が初回に使用される場合など）において、ユーザがヘッドフォン４０をオーディオプレイヤ３０に対して近づけることを例えば取扱説明書などによって規定している場合を前提としている。
このため、上記のようにしてペアリング処理の開始に応じてタグリーダ１６による読み取りを実行させることで、無線タグ２２に記憶された情報を適正に取得することができる。
【０１４９】
図２２において、システムコントローラ９側の上記ステップＳ７０５以降の処理動作、及びＤＳＰ６側の処理動作としては先の図１９に示したものと同様となるので改めての説明は省略する。
【０１５０】
なお、第５の実施の形態において、無線タグ２２からの情報読み取りの開始トリガは、上記のようなペアリング処理の開始タイミングに限定されるべきものでなく、実際の実施形態に応じて適宜変更が可能である。
【０１５１】
また、第５の実施の形態としても、ヘッドフォン４０側には機種の別のみを表すＩＤ情報２１ａを記憶させるものとしたが、この場合も先の第２の実施の形態の場合と同様に、個体ごとの特性の別も含んで各ヘッドフォン４０を識別するためのＩＤ情報（２１ｂ）を記憶させて、ヘッドフォン４０の個体ごとの特性ばらつきを考慮した補償処理を行うようにすることもできる。
また、第３の実施の形態のようにＤＳＰ６にて設定されるべき特性情報そのものを記憶させることもできる。
【０１５２】
[変形例]
以上、本発明の実施の形態について説明したが、本発明としてはこれまでに説明した具体例に限定されるべきものではない。
例えばこれまでの説明では、本発明がノイズキャンセリング機能を有する音響再生システムに適用される場合を例示したが、本発明としては、ノイズキャンセリング機能を有さない、いわば通常の音響再生システムにも好適に適用することができる。
ここで、ノイズキャンセリング機能を有さない通常の音響再生システムにおいても、使用されるヘッドフォン装置の機種が変更された場合には、例えばイコライザ６ｂによる音響効果などに聴感上の差が生じることが考えられる。
そこで、通常の音響再生システムにおいても、機種の別に応じてイコライザ６ｄのフィルタ特性など、ヘッドフォン装置に対して供給される音声信号に所要の音響効果を与えるための信号処理特性を変更することが有効となる。具体的に、その場合は、先の第１の実施の形態で説明したＩＤ−フィルタ特性対応情報１０ａのうち、ＮＣフィルタ特性の情報を除外したものとし、ヘッドフォン装置側から読み取ったＩＤ情報に対応するイコライザ特性をイコライザ６ｂに設定するものとすればよい。
また、この場合も、先の第２の実施の形態のように、機種の別のみでなく、個体ごとの音響特性の別も含めてヘッドフォン装置を識別するためのＩＤ情報（２１ｂ）を記憶させて、ヘッドフォン装置の個体ごとの特性ばらつきも補償されるようにすることもできる。通常の音響再生システムにおいても、このように個体ごとの特性補償を行うことで、選別から外れる製品を廃棄する必要をなくすことができ、ヘッドフォン装置の製造コストの削減を図ることができる。また、このとき、第２の実施の形態と同様に各ｃｈごとの補償を行うものとすれば、左右のペアリングに関しても製品廃棄を行う必要はないものとでき、その点でも装置製造コストの削減が図られる。
さらには、この場合もＩＤ情報を記憶させるのではなく、設定されるべき特性情報そのものをヘッドフォン装置側に記憶させることもできる。
【０１５３】
また、これまでの説明では、音響再生システムが機種の異なるヘッドフォン装置に対応する場合を例示したが、有る１つの機種のヘッドフォン装置のみに対応可能とするシステムを想定した場合などには、ＩＤ情報を、機種の別の情報を除いた個体ごとの特性の別のみを表す情報として、個体ごとの特性補償を行うようにすることもできる。この場合としても、選別による製品廃棄を行う必要はなくなり、装置製造コストの削減を図ることができる。
またこの場合も、各ｃｈごとの補償を行うものとすれば、左右のペアリングに関しても製品廃棄を行わずに済むものとできる。
【０１５４】
また、これまでの説明では、ヘッドフォン装置の別に応じて可変設定されるべき信号処理特性が、ＮＣフィルタやイコライザのフィルタ特性、ゲインなどとされる場合を例示したが、例えば残響効果や音場効果などの音響効果を与える音響再生システムにおいて、それらの音響効果の処理特性を使用するヘッドフォンの種別に応じて可変的に設定することもできる。
【０１５５】
また、これまでの説明においては、プラグ部２０Ａが引き抜かれたときの動作については特に言及しなかったが、プラグ部２０Ａが抜かれたことが検出された場合、オーディオデータを再生中であったときには、その再生を一時停止するようにすることもできる。
【０１５６】
また、プラグ部２０Ａが接続された際には、フィルタ特性の変更設定が行われるので、その間は再生を一時停止させることもできる。つまりその場合、システムコントローラ９は、プラグ接続に応じてストレージ部４・再生処理部５を制御して再生を一時停止させた上で、実施の形態で例示した特性設定処理を実行する。そして、ＤＳＰ６からのフィルタ特性設定完了の通知に応じて、再生を再開させるようにする。
【０１５７】
また、これまでの説明では、ノイズキャンセリングのための信号特性を与えるフィルタ（ＮＣフィルタ）がデジタルフィルタで構成される場合を例示したが、ＮＣフィルタはアナログフィルタで構成することもできる。
【０１５８】
また、これまでの説明では、本発明の信号処理装置がオーディオプレイヤとして構成される場合について例示したが、本発明の信号処理装置としては、例えばノイズキャンセリング機能を備えた携帯電話機、ヘッドセットなど、他の装置形態として実施することもできる。
【図面の簡単な説明】
【０１５９】
【図１】フィードバック方式によるヘッドフォン装置のノイズキャンセリングシステムについてのモデル例を示す図である。
【図２】図１に示したノイズキャンセリングシステムについての特性を示すボード線図である。
【図３】フィードフォワード方式によるヘッドフォン装置のノイズキャンセリングシステムについてのモデル例を示す図である。
【図４】第１の実施の形態の音響再生システムの構成について説明するための図である。
【図５】第１の実施の形態の信号処理装置が対応するヘッドフォン装置の種類について説明するための図である。
【図６】ヘッドフォン装置が有するドライバ（スピーカ）とマイクロフォンの配置関係について説明するための図である。
【図７】第１の実施の形態の音響再生システムにおいて、ヘッドフォン装置に形成されるプラグ部と信号処理装置に形成されるジャック部の構造を示した図である。
【図８】ＩＤ−フィルタ特性対応情報のデータ構造について示した図である。
【図９】第１の実施の形態の信号処理装置において実行されるべき処理動作について示したフローチャートである。
【図１０】第２の実施の形態の音響再生システムの構成について説明するための図である。
【図１１】第２の実施の形態のＩＤ情報のデータ構造を示した図である。
【図１２】ドライバ周波数特性種別、感度種別の設定手法について説明するための図である。
【図１３】ＩＤ−特性対応情報のデータ構造について示した図である。
【図１４】第２の実施の形態の信号処理装置において実行されるべき処理動作について示したフローチャートである。
【図１５】第３の実施の形態の音響再生システムの構成について説明するための図である。
【図１６】第３の実施の形態の信号処理装置において実行されるべき処理動作について示したフローチャートである。
【図１７】第４の実施の形態の音響再生システムにおいて、ヘッドフォン装置に形成されるプラグ部と信号処理装置に形成されるジャック部の構造を示した図である。
【図１８】第４の実施の形態の音響再生システムの構成について説明するための図である。
【図１９】第４の実施の形態の信号処理装置において実行されるべき処理動作について示したフローチャートである。
【図２０】第５の実施の形態の音響再生システムの外観図である。
【図２１】第４の実施の形態の音響再生システムの構成について説明するための図である。
【図２２】第５の実施の形態の信号処理装置において実行されるべき処理動作について示したフローチャートである。
【符号の説明】
【０１６０】
１,３０  オーディオプレイヤ、１Ａ  ジャック部、２,３１  マイクアンプ、３,４３  Ａ／Ｄ変換器、４  ストレージ部、５  再生処理部、６  ＤＳＰ、６ａ  ＮＣフィルタ、６ｂ  （第１）イコライザ、６ｃ  加算部、６ｄ  第１乗算部、６ｅ  第２乗算部、６ｆ  第２イコライザ、７,４２  Ｄ／Ａ変換器、８,３２  パワーアンプ、９  システムコントローラ、１０  メモリ、１０ａ  ＩＤ−フィルタ特性対応情報、１０ｂ  ＩＤ−特性対応情報、１１  プラグ接続検出部、１２  外部通信インタフェース、１３  表示部、１４  操作部、１５  電源部、１６  タグリーダ、２０,４０  ヘッドフォン、２０Ａ  プラグ部、２１  不揮発性メモリ、２１ａ,２１ｂ  ＩＤ情報、２１ｃ  フィルタ特性情報、２２  無線タグ、MIC  マイクロフォン、DRV  ドライバ、３３,４１  無線通信部
【図１】
0005320784.tif 000009
【図２】
0005320784.tif 000010
【図３】
0005320784.tif 000011
【図４】
0005320784.tif 000012
【図５】
0005320784.tif 000013
【図６】
0005320784.tif 000014
【図７】
0005320784.tif 000015
【図８】
0005320784.tif 000016
【図９】
0005320784.tif 000017
【図１０】
0005320784.tif 000018
【図１１】
0005320784.tif 000019
【図１２】
0005320784.tif 000020
【図１３】
0005320784.tif 000021
【図１４】
0005320784.tif 000022
【図１５】
0005320784.tif 000023
【図１６】
0005320784.tif 000024
【図１７】
0005320784.tif 000025
【図１８】
0005320784.tif 000026
【図１９】
0005320784.tif 000027
【図２０】
0005320784.tif 000028
【図２１】
0005320784.tif 000029
【図２２】
0005320784.tif 000030